(57)【特許請求の範囲】
【請求項１】
ネットワークデバイスが、UEのためのキャリア・アグリゲーション・モデルを構成するステップ、
を含み、
前記キャリア・アグリゲーション・モデルは複数のコンポーネントキャリアを含み、前記複数のコンポーネントキャリアは少なくとも1つのコアキャリアを含み、前記少なくとも1つのコアキャリアは少なくとも1つのプライマリ・コア・キャリアを含み、前記コアキャリアは、上り伝送機能および下り伝送機能を有し、前記上り伝送機能は、下りデータに対応する上りフィードバック機能、下りチャネル状態フィードバック機能、または上りデータ伝送機能、のうちの少なくとも1つを含み、前記下り伝送機能は、上りデータに対応する下りフィードバック機能、上りチャネル状態フィードバック機能、または下りデータ伝送機能、のうちの少なくとも1つを含み、前記プライマリ・コア・キャリアは、システムメッセージ伝達機能、ページングメッセージ伝達機能、半静的スケジューリングパラメータ構成機能、キャンピング参照機能、または暗号化参照機能、のうちの少なくとも1つの機能を有し、
前記UEは、前記コアキャリアと非コアキャリアの両方に基づいて前記ネットワークデバイスとデータ伝送を行い、前記非コアキャリアは、前記複数のコンポーネントキャリアの中の前記コアキャリア以外のコンポーネントキャリアであり、前記非コアキャリアは、上り伝送機能および／または下り伝送機能を有する、
キャリア構成方法であって、
前記複数のコンポーネントキャリアが少なくとも2つのコアキャリアを含む場合、ユーザ機器UEのためのキャリア・アグリゲーション・モデルを構成する前記ステップの後に、前記方法は、
前記ネットワークデバイスが、前記プライマリ・コア・キャリアを変更することを決定するステップと、
前記ネットワークデバイスが、セカンダリ・コア・キャリアの中から新しいプライマリ・コア・キャリアを決定するステップであって、前記セカンダリ・コア・キャリアは、前記少なくとも2つのコアキャリアの中の前記プライマリ・コア・キャリア以外のコアキャリアである、前記ステップと、
前記ネットワークデバイスが、前記UEにプライマリ・コア・キャリア変更通知メッセージを送信するステップであって、前記プライマリ・コア・キャリア変更通知メッセージは前記UEに前記プライマリ・コア・キャリアを変更するよう命令するのに用いられる、前記ステップと、
をさらに含む、
方法。
【請求項２】
前記UEにプライマリ・コア・キャリア変更通知メッセージを送信する前記ステップの後に、前記方法は、
前記ネットワークデバイスが、前記UEがトリガしたランダム・アクセス・チャネルRACH手順に従って、前記UEの前記プライマリ・コア・キャリアが正常に変更されたと判定するステップ、
をさらに含む、請求項1に記載の方法。
【請求項３】
ネットワークデバイスが、UEのためのキャリア・アグリゲーション・モデルを構成するステップ、
を含み、
前記キャリア・アグリゲーション・モデルは複数のコンポーネントキャリアを含み、前記複数のコンポーネントキャリアは少なくとも1つのコアキャリアを含み、前記少なくとも1つのコアキャリアは少なくとも1つのプライマリ・コア・キャリアを含み、前記コアキャリアは、上り伝送機能および下り伝送機能を有し、前記上り伝送機能は、下りデータに対応する上りフィードバック機能、下りチャネル状態フィードバック機能、または上りデータ伝送機能、のうちの少なくとも1つを含み、前記下り伝送機能は、上りデータに対応する下りフィードバック機能、上りチャネル状態フィードバック機能、または下りデータ伝送機能、のうちの少なくとも1つを含み、前記プライマリ・コア・キャリアは、システムメッセージ伝達機能、ページングメッセージ伝達機能、半静的スケジューリングパラメータ構成機能、キャンピング参照機能、または暗号化参照機能、のうちの少なくとも1つの機能を有し、
前記UEは、前記コアキャリアと非コアキャリアの両方に基づいて前記ネットワークデバイスとデータ伝送を行い、前記非コアキャリアは、前記複数のコンポーネントキャリアの中の前記コアキャリア以外のコンポーネントキャリアであり、前記非コアキャリアは、上り伝送機能および／または下り伝送機能を有する、
キャリア構成方法であって、
前記複数のコンポーネントキャリアが少なくとも2つのコアキャリアを含む場合、ユーザ機器UEのためのキャリア・アグリゲーション・モデルを構成する前記ステップの後に、前記方法は、
前記ネットワークデバイスが、前記UEの前記プライマリ・コア・キャリアが変更されたという通知を受信するステップ、
をさらに含む、
方法。
【請求項４】
前記UEの前記プライマリ・コア・キャリアが変更されたという通知を受信する前記ステップは、
前記ネットワークデバイスが、新しいプライマリ・コア・キャリアに対応する上りキャリアに基づいて前記UEがトリガしたRACH手順を受信するステップ、
を含み、
前記UEの前記プライマリ・コア・キャリアが変更されたという通知を受信する前記ステップの後に、前記方法は、
前記ネットワークデバイスが、前記RACH手順に従って、前記プライマリ・コア・キャリアが変更されたと判定するステップ、
をさらに含む、請求項3に記載の方法。
【請求項５】
前記UEの前記プライマリ・コア・キャリアが変更されたという通知を受信する前記ステップは、
前記ネットワークデバイスが、前記UEが送信した上りメッセージを受信するステップであって、前記上りメッセージはネットワークデバイスに前記プライマリ・コア・キャリアが変更されたことを通知するのに用いられる、前記ステップ、
を含み、
前記UEの前記プライマリ・コア・キャリアが変更されたという通知を受信する前記ステップの後に、前記方法は、
前記ネットワークデバイスが、前記上りメッセージに従って、前記プライマリ・コア・キャリアが変更されたと判定するステップ、
をさらに含む、請求項3に記載の方法。
【請求項６】
UEが、ネットワークデバイスが送信したキャリア・アグリゲーション・モデルを受信するステップと、
前記UEが、前記キャリア・アグリゲーション・モデルに従って前記ネットワークデバイスとデータ伝送を行うステップと、
を含み、
前記キャリア・アグリゲーション・モデルは複数のコンポーネントキャリアを含み、前記複数のコンポーネントキャリアは少なくとも1つのコアキャリアを含み、前記少なくとも1つのコアキャリアは少なくとも1つのプライマリ・コア・キャリアを含み、前記コアキャリアは、上り伝送機能および下り伝送機能を有し、前記上り伝送機能は、下りデータに対応する上りフィードバック機能、下りチャネル状態フィードバック機能、または上りデータ伝送機能、のうちの少なくとも1つを含み、前記下り伝送機能は、上りデータに対応する下りフィードバック機能、上りチャネル状態フィードバック機能、または下りデータ伝送機能、のうちの少なくとも1つを含み、前記プライマリ・コア・キャリアは、システムメッセージ伝達機能、ページングメッセージ伝達機能、半静的スケジューリングパラメータ構成機能、キャンピング参照機能、または暗号化参照機能、のうちの少なくとも1つの機能を有し、
前記UEは、前記コアキャリアと非コアキャリアの両方に基づいて前記ネットワークデバイスとデータ伝送を行い、前記非コアキャリアは、前記複数のコンポーネントキャリアの中の前記コアキャリア以外のコンポーネントキャリアであり、前記非コアキャリアは、上り伝送機能および／または下り伝送機能を有する、
キャリア構成方法であって、
前記複数のコンポーネントキャリアが少なくとも2つのコアキャリアを含む場合、ネットワークデバイスが送信したキャリア・アグリゲーション・モデルを受信する前記ステップの後に、前記方法は、
前記UEが、前記ネットワークデバイスが送信したプライマリ・コア・キャリア変更通知メッセージを受信するステップと、
前記UEが、前記プライマリ・コア・キャリア変更通知メッセージに従って前記プライマリ・コア・キャリアを新しいプライマリ・コア・キャリアに変更するステップと、
をさらに含む、
方法。
【請求項７】
前記プライマリ・コア・キャリア変更通知メッセージに従って前記プライマリ・コア・キャリアを新しいプライマリ・コア・キャリアに変更する前記ステップの後に、前記方法は、
前記UEが、ランダム・アクセス・チャネルRACH手順をトリガするステップ、
をさらに含む、請求項6に記載の方法。
【請求項８】
UEが、ネットワークデバイスが送信したキャリア・アグリゲーション・モデルを受信するステップと、
前記UEが、前記キャリア・アグリゲーション・モデルに従って前記ネットワークデバイスとデータ伝送を行うステップと、
を含み、
前記キャリア・アグリゲーション・モデルは複数のコンポーネントキャリアを含み、前記複数のコンポーネントキャリアは少なくとも1つのコアキャリアを含み、前記少なくとも1つのコアキャリアは少なくとも1つのプライマリ・コア・キャリアを含み、前記コアキャリアは、上り伝送機能および下り伝送機能を有し、前記上り伝送機能は、下りデータに対応する上りフィードバック機能、下りチャネル状態フィードバック機能、または上りデータ伝送機能、のうちの少なくとも1つを含み、前記下り伝送機能は、上りデータに対応する下りフィードバック機能、上りチャネル状態フィードバック機能、または下りデータ伝送機能、のうちの少なくとも1つを含み、前記プライマリ・コア・キャリアは、システムメッセージ伝達機能、ページングメッセージ伝達機能、半静的スケジューリングパラメータ構成機能、キャンピング参照機能、または暗号化参照機能、のうちの少なくとも1つの機能を有し、
前記UEは、前記コアキャリアと非コアキャリアの両方に基づいて前記ネットワークデバイスとデータ伝送を行い、前記非コアキャリアは、前記複数のコンポーネントキャリアの中の前記コアキャリア以外のコンポーネントキャリアであり、前記非コアキャリアは、上り伝送機能および／または下り伝送機能を有する、
キャリア構成方法であって、
前記複数のコンポーネントキャリアが少なくとも2つのコアキャリアを含む場合、ネットワークデバイスが送信したキャリア・アグリゲーション・モデルを受信する前記ステップの後に、前記方法は、
前記ネットワークデバイスが、前記プライマリ・コア・キャリアを変更することを決定するステップと、
前記ネットワークデバイスが、セカンダリ・コア・キャリアの中から新しいプライマリ・コア・キャリアを決定するステップであって、前記セカンダリ・コア・キャリアは、前記少なくとも2つのコアキャリアの中の前記プライマリ・コア・キャリア以外のコアキャリアである、前記ステップと、
前記UEが、前記ネットワークデバイスに、前記プライマリ・コア・キャリアが変更されたことを通知するステップと、
をさらに含む、
方法。
【請求項９】
前記ネットワークデバイスに、前記プライマリ・コア・キャリアが変更されたことを通知する前記ステップは、
前記ネットワークデバイスが、上りメッセージに従って、前記プライマリ・コア・キャリアが変更されたと判定するように、前記UEが、前記ネットワークデバイスに前記上りメッセージを送信するステップであって、前記上りメッセージは前記ネットワークデバイスに前記プライマリ・コア・キャリアが変更されたことを通知するのに用いられる、前記ステップ、
を含む、請求項8に記載の方法。
【請求項１０】
前記プライマリ・コア・キャリアを変更することを決定する前記ステップは、
プライマリ・コア・リンクに障害が発生したと判定したときに、前記UEが、前記プライマリ・コア・キャリアを変更することを決定するステップ、
を含む、請求項8または9に記載の方法。
【請求項１１】
ユーザ機器UEのためのキャリア・アグリゲーション・モデルを構成するように構成された、構成部、
を含み、
前記キャリア・アグリゲーション・モデルは複数のコンポーネントキャリアを含み、前記複数のコンポーネントキャリアは少なくとも1つのコアキャリアを含み、前記少なくとも1つのコアキャリアは少なくとも1つのプライマリ・コア・キャリアを含み、前記コアキャリアは、上り伝送機能および下り伝送機能を有し、前記上り伝送機能は、下りデータに対応する上りフィードバック機能、下りチャネル状態フィードバック機能、または上りデータ伝送機能、のうちの少なくとも1つを含み、前記下り伝送機能は、上りデータに対応する下りフィードバック機能、上りチャネル状態フィードバック機能、または下りデータ伝送機能、のうちの少なくとも1つを含み、前記プライマリ・コア・キャリアは、システムメッセージ伝達機能、ページングメッセージ伝達機能、半静的スケジューリングパラメータ構成機能、キャンピング参照機能、または暗号化参照機能、のうちの少なくとも1つの機能を有し、
前記UEは、前記コアキャリアと非コアキャリアの両方に基づいてネットワークデバイスとデータ伝送を行い、前記非コアキャリアは、前記複数のコンポーネントキャリアの中の前記コアキャリア以外のコンポーネントキャリアであり、前記非コアキャリアは、上り伝送機能および／または下り伝送機能を有する、
ネットワークデバイスであって、
前記複数のコンポーネントキャリアが少なくとも2つのコアキャリアを含む場合、
決定部が、前記構成部が前記ユーザ機器UEのための前記キャリア・アグリゲーション・モデルを構成した後で、前記プライマリ・コア・キャリアを変更することを決定し、前記少なくとも2つのコアキャリアの中の前記プライマリ・コア・キャリア以外のコアキャリアであるセカンダリ・コア・キャリアの中から新しいプライマリ・コア・キャリアを決定する、ようにさらに構成されており、
前記ネットワークデバイスは、
前記UEにプライマリ・コア・キャリア変更通知メッセージを送信するように構成された送信部であって、前記プライマリ・コア・キャリア変更通知メッセージは前記UEに前記プライマリ・コア・キャリアを変更するよう命令するのに用いられる、前記送信部、
をさらに含む、
ネットワークデバイス。
【請求項１２】
前記決定部は、前記送信部が前記UEに前記プライマリ・コア・キャリア変更通知メッセージを送信した後で、前記UEがトリガしたランダム・アクセス・チャネルRACH手順に従って、前記UEの前記プライマリ・コア・キャリアが正常に変更されたと判定する、ようにさらに構成されている、請求項11に記載のネットワークデバイス。
【請求項１３】
ユーザ機器UEのためのキャリア・アグリゲーション・モデルを構成するように構成された、構成部、
を含み、
前記キャリア・アグリゲーション・モデルは複数のコンポーネントキャリアを含み、前記複数のコンポーネントキャリアは少なくとも1つのコアキャリアを含み、前記少なくとも1つのコアキャリアは少なくとも1つのプライマリ・コア・キャリアを含み、前記コアキャリアは、上り伝送機能および下り伝送機能を有し、前記上り伝送機能は、下りデータに対応する上りフィードバック機能、下りチャネル状態フィードバック機能、または上りデータ伝送機能、のうちの少なくとも1つを含み、前記下り伝送機能は、上りデータに対応する下りフィードバック機能、上りチャネル状態フィードバック機能、または下りデータ伝送機能、のうちの少なくとも1つを含み、前記プライマリ・コア・キャリアは、システムメッセージ伝達機能、ページングメッセージ伝達機能、半静的スケジューリングパラメータ構成機能、キャンピング参照機能、または暗号化参照機能、のうちの少なくとも1つの機能を有し、
前記UEは、前記コアキャリアと非コアキャリアの両方に基づいてネットワークデバイスとデータ伝送を行い、前記非コアキャリアは、前記複数のコンポーネントキャリアの中の前記コアキャリア以外のコンポーネントキャリアであり、前記非コアキャリアは、上り伝送機能および／または下り伝送機能を有する、
ネットワークデバイスであって、
前記複数のコンポーネントキャリアが少なくとも2つのコアキャリアを含む場合、前記ネットワークデバイスは、
前記構成部が前記ユーザ機器UEのための前記キャリア・アグリゲーション・モデルを構成した後で、前記UEの前記プライマリ・コア・キャリアが変更されたという通知を受信する、ように構成された、受信部、
をさらに含む、
ネットワークデバイス。
【請求項１４】
前記受信部は、
新しいプライマリ・コア・キャリアに対応する上りキャリアに基づいて前記UEがトリガしたRACH手順を受信する、
ように特に構成されており、
決定部は、前記受信部が、前記UEの前記プライマリ・コア・キャリアが変更されたという前記通知を受信した後で、前記RACH手順に従って、前記プライマリ・コア・キャリアが変更されたと判定する、ようにさらに構成されている、請求項13に記載のネットワークデバイス。
【請求項１５】
前記受信部は、
前記ネットワークデバイスに前記プライマリ・コア・キャリアが変更されたことを通知するのに用いられる、前記UEが送信した上りメッセージを受信する、
ように特に構成されており、
決定部は、前記受信部が、前記UEの前記プライマリ・コア・キャリアが変更されたという前記通知を受信した後で、前記受信部が受信した前記上りメッセージに従って、前記プライマリ・コア・キャリアが変更されたと判定する、ようにさらに構成されている、請求項13に記載のネットワークデバイス。
【請求項１６】
ネットワークデバイスが送信したキャリア・アグリゲーション・モデルを受信するように構成された、受信部と、
前記受信部が受信した前記キャリア・アグリゲーション・モデルに従って前記ネットワークデバイスとデータ伝送を行うように構成された、送信部と、
を含み、
前記キャリア・アグリゲーション・モデルは複数のコンポーネントキャリアを含み、前記複数のコンポーネントキャリアは少なくとも1つのコアキャリアを含み、前記少なくとも1つのコアキャリアは少なくとも1つのプライマリ・コア・キャリアを含み、前記コアキャリアは、上り伝送機能および下り伝送機能を有し、前記上り伝送機能は、下りデータに対応する上りフィードバック機能、下りチャネル状態フィードバック機能、または上りデータ伝送機能、のうちの少なくとも1つを含み、前記下り伝送機能は、上りデータに対応する下りフィードバック機能、上りチャネル状態フィードバック機能、または下りデータ伝送機能、のうちの少なくとも1つを含み、前記プライマリ・コア・キャリアは、システムメッセージ伝達機能、ページングメッセージ伝達機能、半静的スケジューリングパラメータ構成機能、キャンピング参照機能、または暗号化参照機能、のうちの少なくとも1つの機能を有し、
ユーザ機器は、前記コアキャリアと非コアキャリアの両方に基づいて前記ネットワークデバイスとデータ伝送を行い、前記非コアキャリアは、前記複数のコンポーネントキャリアの中の前記コアキャリア以外のコンポーネントキャリアであり、前記非コアキャリアは、上り伝送機能および／または下り伝送機能を有する、
ユーザ機器であって、
前記複数のコンポーネントキャリアが少なくとも2つのコアキャリアを含む場合、
前記受信部は、ネットワークデバイスが送信したキャリア・アグリゲーション・モデルを受信した後で、前記ネットワークデバイスが送信したプライマリ・コア・キャリア変更通知メッセージを受信する、ようにさらに構成されており、
前記ユーザ機器は、
前記受信部が受信した前記プライマリ・コア・キャリア変更通知メッセージに従って、前記プライマリ・コア・キャリアを新しいプライマリ・コア・キャリアに変更するように構成された、変更部、
をさらに含む、
ユーザ機器。
【請求項１７】
前記ユーザ機器は、
前記変更部が、前記プライマリ・コア・キャリア変更通知メッセージに従って前記プライマリ・コア・キャリアを前記新しいプライマリ・コア・キャリアに変更した後で、前記ネットワークデバイスが、ランダム・アクセス・チャネルRACH手順に従って、前記プライマリ・コア・キャリアが正常に変更されたと判定するように、前記RACH手順をトリガする、ように構成された、トリガ部、
をさらに含む、請求項16に記載のユーザ機器。
【請求項１８】
ネットワークデバイスが送信したキャリア・アグリゲーション・モデルを受信するように構成された、受信部と、
前記受信部が受信した前記キャリア・アグリゲーション・モデルに従って前記ネットワークデバイスとデータ伝送を行うように構成された、送信部と、
を含み、
前記キャリア・アグリゲーション・モデルは複数のコンポーネントキャリアを含み、前記複数のコンポーネントキャリアは少なくとも1つのコアキャリアを含み、前記少なくとも1つのコアキャリアは少なくとも1つのプライマリ・コア・キャリアを含み、前記コアキャリアは、上り伝送機能および下り伝送機能を有し、前記上り伝送機能は、下りデータに対応する上りフィードバック機能、下りチャネル状態フィードバック機能、または上りデータ伝送機能、のうちの少なくとも1つを含み、前記下り伝送機能は、上りデータに対応する下りフィードバック機能、上りチャネル状態フィードバック機能、または下りデータ伝送機能、のうちの少なくとも1つを含み、前記プライマリ・コア・キャリアは、システムメッセージ伝達機能、ページングメッセージ伝達機能、半静的スケジューリングパラメータ構成機能、キャンピング参照機能、または暗号化参照機能、のうちの少なくとも1つの機能を有し、
ユーザ機器は、前記コアキャリアと非コアキャリアの両方に基づいて前記ネットワークデバイスとデータ伝送を行い、前記非コアキャリアは、前記複数のコンポーネントキャリアの中の前記コアキャリア以外のコンポーネントキャリアであり、前記非コアキャリアは、上り伝送機能および／または下り伝送機能を有する、
ユーザ機器であって、
前記複数のコンポーネントキャリアが少なくとも2つのコアキャリアを含む場合、前記ユーザ機器は、
前記受信部が、前記ネットワークデバイスが送信した前記キャリア・アグリゲーション・モデルを受信した後で、前記プライマリ・コア・キャリアを変更することを決定し、前記少なくとも2つのコアキャリアの中の前記プライマリ・コア・キャリア以外のコアキャリアであるセカンダリ・コア・キャリアの中から新しいプライマリ・コア・キャリアを決定する、ように構成された、決定部と、
前記ネットワークデバイスに、前記プライマリ・コア・キャリアが変更されたことを通知する、ように構成された、通知部と、
をさらに含む、
ユーザ機器。
【請求項１９】
前記通知部は、
前記ネットワークデバイスに前記プライマリ・コア・キャリアが変更されたことを通知するのに用いられる上りメッセージを、前記ネットワークデバイスに送信する、
ように特に構成されている、請求項18に記載のユーザ機器。
【請求項２０】
前記決定部は、
プライマリ・コア・リンクに障害が発生したと判定したときに、前記プライマリ・コア・キャリアを変更することを決定する、
ように特に構成されている、請求項18または19に記載のユーザ機器。
【請求項２１】
請求項1から5のいずれか一項に記載の方法をコンピュータに実行させるプログラムが記録されたコンピュータ可読記憶媒体。
【請求項２２】
請求項6から10のいずれか一項に記載の方法をコンピュータに実行させるプログラムが記録されたコンピュータ可読記憶媒体。
【請求項２３】
互いに通信するユーザ機器とネットワークデバイスとを含み、前記ユーザ機器は、請求項6から10のいずれか一項に記載の方法を実行し、前記ネットワークデバイスは、請求項1から5のいずれか一項に記載の方法を実行する、通信システム。
【発明の詳細な説明】
【技術分野】
【０００１】
本発明は通信の分野に関し、詳細には、キャリア構成方法およびデバイスに関する。
【背景技術】
【０００２】
移動通信技術においては、限られた周波数リソースがシステム性能の向上を妨げる大きな要因である。モバイルユーザが急速に増加し、新しいサービスが効率的なデータ伝送を必要としているため、スペクトル効率をいかに効果的に改善するかが業界で話題の研究テーマとなっている。
【０００３】
先行技術では、スペクトル効率を効果的に向上させるための方法の1つはキャリアアグリゲーション技術である。キャリアアグリゲーション技術とは、複数のコンポーネントキャリアを同時に用いてユーザ機器（英語：User Equipment、略称：UE）にサービスを提供することを意味する。UEにサービスを同時に提供する複数のコンポーネントキャリアにおいては、一般に、1つのコンポーネントキャリアはプライマリ・コンポーネント・キャリアであり、その他のコンポーネントキャリアはセカンダリ・コンポーネント・キャリアである。
【０００４】
先行技術には少なくとも以下の問題がある。キャリアアグリゲーション技術には、プライマリ・コンポーネント・キャリアとセカンダリ・コンポーネント・キャリアという2つの役割しかなく、セカンダリ・コンポーネント・キャリアにはそれ以外の役割が割り当てられない。実際には、これらのセカンダリ・コンポーネント・キャリアは、その様々なベアラ機能に応じて重要度が異なる。例えば、ベアラ機能が良好なセカンダリ・コンポーネント・キャリアは、ベアラ機能の劣ったセカンダリ・コンポーネント・キャリアよりも重要度が高い。この場合、複数のコンポーネントキャリアをプライマリ・コンポーネント・キャリアとセカンダリ・コンポーネント・キャリアに分割するだけでは、重要なセカンダリ・コンポーネント・キャリアを管理することができない。
【発明の概要】
【課題を解決するための手段】
【０００５】
本発明は、複数のコンポーネントキャリアをプライマリ・コンポーネント・キャリアとセカンダリ・コンポーネント・キャリアに分割するだけでは重要なセカンダリ・コンポーネント・キャリアを管理することができないという問題を解決するために、キャリア構成方法およびデバイスを提供する。
【０００６】
前述の目的を達成するために、本発明では以下の技術的解決策を用いる。
【０００７】
本発明の第1の態様によれば、キャリア構成方法が提供され、本方法は、
ユーザ機器UEがキャリア・アグリゲーション・モデルに従ってネットワークデバイスとのデータ伝送を行うように、UEのためのキャリア・アグリゲーション・モデルを構成するステップ、
を含み、
キャリア・アグリゲーション・モデルは複数のコンポーネントキャリアを含み、複数のコンポーネントキャリアは少なくとも1つのコアキャリアを含み、少なくとも1つのコアキャリアは少なくとも1つのプライマリ・コア・キャリアを含み、コアキャリアは、上り伝送機能および下り伝送機能を有し、上り伝送機能は、下りデータに対応する上りフィードバック機能、下りチャネル状態フィードバック機能、または上りデータ伝送機能、のうちの少なくとも1つを含み、下り伝送機能は、上りデータに対応する下りフィードバック機能、上りチャネル状態フィードバック機能、または下りデータ伝送機能、のうちの少なくとも1つを含み、プライマリ・コア・キャリアは、システムメッセージ伝達機能、ページングメッセージ伝達機能、半静的スケジューリングパラメータ構成機能、キャンピング参照機能、または暗号化参照機能、のうちの少なくとも1つの機能を有する。
【０００８】
第1の態様に関連して、1つの可能な実施態様において、ユーザ機器UEのためのキャリア・アグリゲーション・モデルを構成するステップの前に、本方法は、
複数のコンポーネントキャリアの中の上り伝送機能および下り伝送機能を有するコンポーネントキャリアをコアキャリアとして決定するステップ、
をさらに含む。
【０００９】
第1の態様および前述の可能な実施態様に関連して、別の可能な実施態様において、複数のコンポーネントキャリアが少なくとも2つのコアキャリアを含む場合、ユーザ機器UEのためのキャリア・アグリゲーション・モデルを構成するステップの後に、本方法は、
プライマリ・コア・キャリアを変更することを決定するステップと、
セカンダリ・コア・キャリアの中から新しいプライマリ・コア・キャリアを決定するステップであって、セカンダリ・コア・キャリアは、少なくとも2つのコアキャリアの中のプライマリ・コア・キャリア以外のコアキャリアである、ステップと、
UEがプライマリ・コア・キャリアを新しいプライマリ・コア・キャリアに変更するように、UEにプライマリ・コア・キャリア変更通知メッセージを送信するステップであって、プライマリ・コア・キャリア変更通知メッセージはUEにプライマリ・コア・キャリアを変更するよう命令するのに用いられる、ステップと、
をさらに含む。
【００１０】
第1の態様および前述の可能な実施態様に関連して、別の可能な実施態様において、UEにプライマリ・コア・キャリア変更通知メッセージを送信するステップは、
物理層シグナリングまたは媒体アクセス制御MAC層シグナリングを用いてUEにプライマリ・コア・キャリア変更通知メッセージを送信するステップ、
を含む。
【００１１】
第1の態様および前述の可能な実施態様に関連して、別の可能な実施態様において、UEにプライマリ・コア・キャリア変更通知メッセージを送信するステップの後に、本方法は、
UEがトリガしたランダム・アクセス・チャネルRACH手順に従って、UEのプライマリ・コア・キャリアが正常に変更されたと判定するステップ、
をさらに含む。
【００１２】
第1の態様および前述の可能な実施態様に関連して、別の可能な実施態様において、プライマリ・コア・キャリア変更通知メッセージは専用プリアンブルシーケンスを含む。
【００１３】
第1の態様および前述の可能な実施態様に関連して、別の可能な実施態様において、UEにプライマリ・コア・キャリア変更通知メッセージを送信するステップの後に、本方法は、
専用プリアンブルシーケンスを用い、新しいプライマリ・コア・キャリアに対応する上りキャリアに基づいてUEがトリガしたRACH手順に従って、UEのプライマリ・コア・キャリアが正常に変更されたと判定するステップ、
をさらに含む。
【００１４】
第1の態様および前述の可能な実施態様に関連して、別の可能な実施態様において、複数のコンポーネントキャリアが少なくとも2つのコアキャリアを含む場合、ユーザ機器UEのためのキャリア・アグリゲーション・モデルを構成するステップの後に、本方法は、
UEのプライマリ・コア・キャリアが変更されたという通知を受信するステップ、
をさらに含む。
【００１５】
第1の態様および前述の可能な実施態様に関連して、別の可能な実施態様において、UEのプライマリ・コア・キャリアが変更されたという通知を受信するステップは、
新しいプライマリ・コア・キャリアに対応する上りキャリアに基づいてUEがトリガしたRACH手順を受信するステップ、
を含み、
UEのプライマリ・コア・キャリアが変更されたという通知を受信するステップの後に、本方法は、
RACH手順に従って、プライマリ・コア・キャリアが変更されたと判定するステップ、
をさらに含む。
【００１６】
第1の態様および前述の可能な実施態様に関連して、別の可能な実施態様において、UEのプライマリ・コア・キャリアが変更されたという通知を受信するステップは、
UEが送信した上りメッセージを受信するステップであって、上りメッセージはネットワークデバイスにプライマリ・コア・キャリアが変更されたことを通知するのに用いられる、ステップ、
を含み、
UEのプライマリ・コア・キャリアが変更されたという通知を受信するステップの後に、本方法は、
上りメッセージに従って、プライマリ・コア・キャリアが変更されたと判定するステップ、
をさらに含む。
【００１７】
第1の態様および前述の可能な実施態様に関連して、別の可能な実施態様において、UEが送信した上りメッセージを受信するステップは、
スケジューリング要求SR機能をサポートしている1つのセカンダリ・コア・キャリアに基づいてUEが送信したSRを受信するステップと、
UEに上りリソースを割り振るステップと、
上りリソースを用いてUEが送信した上りメッセージを受信するステップと、
を含む。
【００１８】
第1の態様および前述の可能な実施態様に関連して、別の可能な実施態様において、複数のコンポーネントキャリアが少なくとも2つのコアキャリアを含む場合、ユーザ機器UEのためのキャリア・アグリゲーション・モデルを構成するステップの後に、本方法は、
UEの測定イベントを構成するステップであって、測定イベントは、近隣のセルの信号品質または信号強度がコアキャリアのいずれか1つに対応するセルの信号品質または信号強度より大きい場合、UEに、ネットワークデバイスに測定報告を報告するよう命令するのに用いられる、ステップ、
をさらに含む。
【００１９】
本発明の第2の態様によれば、キャリア構成方法が提供され、本方法は、
ネットワークデバイスが送信したキャリア・アグリゲーション・モデルを受信するステップと、
キャリア・アグリゲーション・モデルに従ってネットワークデバイスとデータ伝送を行うステップと、
を含み、
キャリア・アグリゲーション・モデルは複数のコンポーネントキャリアを含み、複数のコンポーネントキャリアは少なくとも1つのコアキャリアを含み、少なくとも1つのコアキャリアは少なくとも1つのプライマリ・コア・キャリアを含み、コアキャリアは、上り伝送機能および下り伝送機能を有し、上り伝送機能は、下りデータに対応する上りフィードバック機能、下りチャネル状態フィードバック機能、または上りデータ伝送機能、のうちの少なくとも1つを含み、下り伝送機能は、上りデータに対応する下りフィードバック機能、上りチャネル状態フィードバック機能、または下りデータ伝送機能、のうちの少なくとも1つを含み、プライマリ・コア・キャリアは、システムメッセージ伝達機能、ページングメッセージ伝達機能、半静的スケジューリングパラメータ構成機能、キャンピング参照機能、または暗号化参照機能、のうちの少なくとも1つの機能を有する。
【００２０】
第2の態様に関連して、1つの可能な実施態様において、複数のコンポーネントキャリアが少なくとも2つのコアキャリアを含む場合、ネットワークデバイスが送信したキャリア・アグリゲーション・モデルを受信するステップの後に、本方法は、
ネットワークデバイスが送信したプライマリ・コア・キャリア変更通知メッセージを受信するステップと、
プライマリ・コア・キャリア変更通知メッセージに従ってプライマリ・コア・キャリアを新しいプライマリ・コア・キャリアに変更するステップと、
をさらに含む。
【００２１】
第2の態様および前述の可能な実施態様に関連して、別の可能な実施態様において、プライマリ・コア・キャリア変更通知メッセージに従ってプライマリ・コア・キャリアを新しいプライマリ・コア・キャリアに変更するステップの後に、本方法は、
ネットワークデバイスが、ランダム・アクセス・チャネルRACH手順に従って、プライマリ・コア・キャリアが正常に変更されたと判定するように、RACH手順をトリガするステップ、
をさらに含む。
【００２２】
第2の態様および前述の可能な実施態様に関連して、別の可能な実施態様において、プライマリ・コア・キャリア変更通知メッセージは専用プリアンブルシーケンスを含み、
プライマリ・コア・キャリア変更通知メッセージに従ってプライマリ・コア・キャリアを新しいプライマリ・コア・キャリアに変更するステップの後に、本方法は、
ネットワークデバイスが、専用プリアンブルシーケンスに従って、プライマリ・コア・キャリアが正常に変更されたと判定するように、専用プリアンブルシーケンスを用い、新しいプライマリ・コア・キャリアに対応する上りキャリアに基づいてRACH手順をトリガするステップ、
をさらに含む。
【００２３】
第2の態様および前述の可能な実施態様に関連して、別の可能な実施態様において、複数のコンポーネントキャリアが少なくとも2つのコアキャリアを含む場合、ネットワークデバイスが送信したキャリア・アグリゲーション・モデルを受信するステップの後に、本方法は、
プライマリ・コア・キャリアを変更することを決定するステップと、
セカンダリ・コア・キャリアの中から新しいプライマリ・コア・キャリアを決定するステップであって、セカンダリ・コア・キャリアは、少なくとも2つのコアキャリアの中のプライマリ・コア・キャリア以外のコアキャリアである、ステップと、
ネットワークデバイスに、プライマリ・コア・キャリアが変更されたことを通知するステップと、
をさらに含む。
【００２４】
第2の態様および前述の可能な実施態様に関連して、別の可能な実施態様において、ネットワークデバイスに、プライマリ・コア・キャリアが変更されたことを通知するステップは、
ネットワークデバイスが、RACH手順に従って、プライマリ・コア・キャリアが変更されたと判定するように、新しいプライマリ・コア・キャリアに対応する上りキャリアに基づいて、RACH手順をトリガするステップ、
を含む。
【００２５】
第2の態様および前述の可能な実施態様に関連して、別の可能な実施態様において、ネットワークデバイスに、プライマリ・コア・キャリアが変更されたことを通知するステップは、
ネットワークデバイスが、上りメッセージに従って、プライマリ・コア・キャリアが変更されたと判定するように、ネットワークデバイスに上りメッセージを送信するステップであって、上りメッセージはネットワークデバイスにプライマリ・コア・キャリアが変更されたことを通知するのに用いられる、ステップ、
を含む。
【００２６】
第2の態様および前述の可能な実施態様に関連して、別の可能な実施態様において、ネットワークデバイスに上りメッセージを送信するステップは、
スケジューリング要求SR機能をサポートしている1つのセカンダリ・コア・キャリアに基づいて、ネットワークデバイスにSRを送信するステップと、
ネットワークデバイスがUEに割り振った上りリソースを受信するステップと、
上りリソースを用いてネットワークデバイスに上りメッセージを送信するステップと、
を含む。
【００２７】
第2の態様および前述の可能な実施態様に関連して、別の可能な実施態様において、プライマリ・コア・キャリアを変更することを決定するステップは、
プライマリ・コア・リンクに障害が発生したと判定したときに、プライマリ・コア・キャリアを変更することを決定するステップ、
を含む。
【００２８】
第2の態様および前述の可能な実施態様に関連して、別の可能な実施態様において、セカンダリ・コア・キャリアの中から新しいプライマリ・コア・キャリアを決定するステップは、
事前設定規則に従ってセカンダリ・コア・キャリアの中から新しいプライマリ・コア・キャリアを決定するステップ、
を含み、
事前設定規則は、事前設定順序、セカンダリ・コア・キャリアに基づいて送信される信号の品質、またはセカンダリ・コア・キャリアに対応するセル識別情報のうちの少なくとも1つを含む。
【００２９】
第2の態様および前述の可能な実施態様に関連して、別の可能な実施態様において、複数のコンポーネントキャリアが少なくとも2つのコアキャリアを含む場合、ネットワークデバイスが送信したキャリア・アグリゲーション・モデルを受信するステップの後に、本方法は、
ネットワークデバイスが送信した測定イベントを受信するステップと、
近隣のセルの信号品質または信号強度がコアキャリアのいずれか1つに対応するセルの信号品質または信号強度より大きい場合、測定イベントに従って、ネットワークデバイスに測定報告を報告することを決定するステップと、
をさらに含む。
【００３０】
本発明の第3の態様によれば、ネットワークデバイスが提供され、本ネットワークデバイスは、
ユーザ機器UEがキャリア・アグリゲーション・モデルに従ってネットワークデバイスとのデータ伝送を行うように、UEのためのキャリア・アグリゲーション・モデルを構成するように構成された、構成部、
を含み、
キャリア・アグリゲーション・モデルは複数のコンポーネントキャリアを含み、複数のコンポーネントキャリアは少なくとも1つのコアキャリアを含み、少なくとも1つのコアキャリアは少なくとも1つのプライマリ・コア・キャリアを含み、コアキャリアは、上り伝送機能および下り伝送機能を有し、上り伝送機能は、下りデータに対応する上りフィードバック機能、下りチャネル状態フィードバック機能、または上りデータ伝送機能、のうちの少なくとも1つを含み、下り伝送機能は、上りデータに対応する下りフィードバック機能、上りチャネル状態フィードバック機能、または下りデータ伝送機能、のうちの少なくとも1つを含み、プライマリ・コア・キャリアは、システムメッセージ伝達機能、ページングメッセージ伝達機能、半静的スケジューリングパラメータ構成機能、キャンピング参照機能、または暗号化参照機能、のうちの少なくとも1つの機能を有する。
【００３１】
第3の態様に関連して、1つの可能な実施態様において、本ネットワークデバイスは、
構成部がユーザ機器UEのためのキャリア・アグリゲーション・モデルを構成する前に、複数のコンポーネントキャリアの中の上り伝送機能および下り伝送機能を有するコンポーネントキャリアをコアキャリアとして決定する、ように構成された、決定部
をさらに含む。
【００３２】
第3の態様および前述の可能な実施態様に関連して、別の可能な実施態様において、複数のコンポーネントキャリアが少なくとも2つのコアキャリアを含む場合、
決定部は、構成部がユーザ機器UEのためのキャリア・アグリゲーション・モデルを構成した後で、プライマリ・コア・キャリアを変更することを決定し、少なくとも2つのコアキャリアの中のプライマリ・コア・キャリア以外のコアキャリアであるセカンダリ・コア・キャリアの中から新しいプライマリ・コア・キャリアを決定する、ようにさらに構成されており、
本ネットワークデバイスは、
UEがプライマリ・コア・キャリアを新しいプライマリ・コア・キャリアに変更するように、UEにプライマリ・コア・キャリア変更通知メッセージを送信するように構成された送信部であって、プライマリ・コア・キャリア変更通知メッセージはUEにプライマリ・コア・キャリアを変更するよう命令するのに用いられる、送信部、
をさらに含む。
【００３３】
第3の態様および前述の可能な実施態様に関連して、別の可能な実施態様において、送信部は、
物理層シグナリングまたは媒体アクセス制御MAC層シグナリングを用いてUEにプライマリ・コア・キャリア変更通知メッセージを送信する、
ように特に構成されている。
【００３４】
第3の態様および前述の可能な実施態様に関連して、別の可能な実施態様において、
決定部は、送信部がUEにプライマリ・コア・キャリア変更通知メッセージを送信した後で、UEがトリガしたランダム・アクセス・チャネルRACH手順に従って、UEのプライマリ・コア・キャリアが正常に変更されたと判定する、ようにさらに構成されている。
【００３５】
第3の態様および前述の可能な実施態様に関連して、別の可能な実施態様において、プライマリ・コア・キャリア変更通知メッセージは専用プリアンブルシーケンスを含む。
【００３６】
第3の態様および前述の可能な実施態様に関連して、別の可能な実施態様において、
決定部は、送信部がUEにプライマリ・コア・キャリア変更通知メッセージを送信した後で、専用プリアンブルシーケンスを用い、新しいプライマリ・コア・キャリアに対応する上りキャリアに基づいてUEがトリガしたRACH手順に従って、UEのプライマリ・コア・キャリアが正常に変更されたと判定する、ようにさらに構成されている。
【００３７】
第3の態様および前述の可能な実施態様に関連して、別の可能な実施態様において、複数のコンポーネントキャリアが少なくとも2つのコアキャリアを含む場合、本ネットワークデバイスは、
構成部がユーザ機器UEのためのキャリア・アグリゲーション・モデルを構成した後で、UEのプライマリ・コア・キャリアが変更されたという通知を受信する、ように構成された、受信部
をさらに含む。
【００３８】
第3の態様および前述の可能な実施態様に関連して、別の可能な実施態様において、受信部は、
新しいプライマリ・コア・キャリアに対応する上りキャリアに基づいてUEがトリガしたRACH手順を受信する、
ように特に構成されており、
決定部は、受信部が、UEのプライマリ・コア・キャリアが変更されたという通知を受信した後で、RACH手順に従って、プライマリ・コア・キャリアが変更されたと判定する、ようにさらに構成されている。
【００３９】
第3の態様および前述の可能な実施態様に関連して、別の可能な実施態様において、受信部は、
ネットワークデバイスにプライマリ・コア・キャリアが変更されたことを通知するのに用いられる、UEが送信した上りメッセージを受信する、
ように特に構成されており、
決定部は、受信部が、UEのプライマリ・コア・キャリアが変更されたという通知を受信した後で、受信部が受信した上りメッセージに従って、プライマリ・コア・キャリアが変更されたと判定する、ようにさらに構成されている。
【００４０】
第3の態様および前述の可能な実施態様に関連して、別の可能な実施態様において、受信部は、
スケジューリング要求SR機能をサポートしている1つのセカンダリ・コア・キャリアに基づいてUEが送信したSRを受信し、
UEに上りリソースを割り振り、
上りリソースを用いてUEが送信した上りメッセージを受信する、
ように特に構成されている。
【００４１】
第3の態様および前述の可能な実施態様に関連して、別の可能な実施態様において、複数のコンポーネントキャリアが少なくとも2つのコアキャリアを含む場合、
構成部は、ユーザ機器UEのためのキャリア・アグリゲーション・モデルを構成した後で、UEの測定イベントを構成する、ようにさらに構成されており、測定イベントは、近隣のセルの信号品質または信号強度がコアキャリアのいずれか1つに対応するセルの信号品質または信号強度より大きい場合、UEに、ネットワークデバイスに測定報告を報告するよう命令するのに用いられる。
【００４２】
本発明の第4の態様によれば、ユーザ機器が提供され、本ユーザ機器は、
ネットワークデバイスが送信したキャリア・アグリゲーション・モデルを受信するように構成された、受信部と、
受信部が受信したキャリア・アグリゲーション・モデルに従ってネットワークデバイスとデータ伝送を行うように構成された、送信部と、
を含み、
キャリア・アグリゲーション・モデルは複数のコンポーネントキャリアを含み、複数のコンポーネントキャリアは少なくとも1つのコアキャリアを含み、少なくとも1つのコアキャリアは少なくとも1つのプライマリ・コア・キャリアを含み、コアキャリアは、上り伝送機能および下り伝送機能を有し、上り伝送機能は、下りデータに対応する上りフィードバック機能、下りチャネル状態フィードバック機能、または上りデータ伝送機能、のうちの少なくとも1つを含み、下り伝送機能は、上りデータに対応する下りフィードバック機能、上りチャネル状態フィードバック機能、または下りデータ伝送機能、のうちの少なくとも1つを含み、プライマリ・コア・キャリアは、システムメッセージ伝達機能、ページングメッセージ伝達機能、半静的スケジューリングパラメータ構成機能、キャンピング参照機能、または暗号化参照機能、のうちの少なくとも1つの機能を有する。
【００４３】
第4の態様に関連して、1つの可能な実施態様において、複数のコンポーネントキャリアが少なくとも2つのコアキャリアを含む場合、
受信部は、ネットワークデバイスが送信したキャリア・アグリゲーション・モデルを受信した後で、ネットワークデバイスが送信したプライマリ・コア・キャリア変更通知メッセージを受信する、ようにさらに構成されており、
本ユーザ機器は、
受信部が受信したプライマリ・コア・キャリア変更通知メッセージに従って、プライマリ・コア・キャリアを新しいプライマリ・コア・キャリアに変更するように構成された、変更部、
をさらに含む。
【００４４】
第4の態様および前述の可能な実施態様に関連して、別の可能な実施態様において、本ユーザ機器は、
変更部がプライマリ・コア・キャリア変更通知メッセージに従ってプライマリ・コア・キャリアを新しいプライマリ・コア・キャリアに変更した後で、ネットワークデバイスが、ランダム・アクセス・チャネルRACH手順に従って、プライマリ・コア・キャリアが正常に変更されたと判定するように、RACH手順をトリガする、ように構成された、トリガ部、
をさらに含む。
【００４５】
第4の態様および前述の可能な実施態様に関連して、別の可能な実施態様において、プライマリ・コア・キャリア変更通知メッセージは専用プリアンブルシーケンスを含み、
トリガ部は、変更部がプライマリ・コア・キャリア変更通知メッセージに従ってプライマリ・コア・キャリアを新しいプライマリ・コア・キャリアに変更した後で、ネットワークデバイスが、専用プリアンブルシーケンスに従って、プライマリ・コア・キャリアが正常に変更されたと判定するように、専用プリアンブルシーケンスを用い、新しいプライマリ・コア・キャリアに対応する上りキャリアに基づいてRACH手順をトリガする、ようにさらに構成されている。
【００４６】
第4の態様および前述の可能な実施態様に関連して、別の可能な実施態様において、複数のコンポーネントキャリアが少なくとも2つのコアキャリアを含む場合、本ユーザ機器は、
受信部が、ネットワークデバイスが送信したキャリア・アグリゲーション・モデルを受信した後で、プライマリ・コア・キャリアを変更することを決定し、少なくとも2つのコアキャリアの中のプライマリ・コア・キャリア以外のコアキャリアであるセカンダリ・コア・キャリアの中から新しいプライマリ・コア・キャリアを決定する、ように構成された、決定部と、
ネットワークデバイスに、プライマリ・コア・キャリアが変更されたことを通知する、ように構成された、通知部と、
をさらに含む。
【００４７】
第4の態様および前述の可能な実施態様に関連して、別の可能な実施態様において、通知部は、
ネットワークデバイスが、RACH手順に従って、プライマリ・コア・キャリアが変更されたと判定するように、新しいプライマリ・コア・キャリアに対応する上りキャリアに基づいて、RACH手順をトリガする、
ように特に構成されている。
【００４８】
第4の態様および前述の可能な実施態様に関連して、別の可能な実施態様において、通知部は、
ネットワークデバイスが、ネットワークデバイスにプライマリ・コア・キャリアが変更されたことを通知するのに用いられる上りメッセージに従って、プライマリ・コア・キャリアが変更されたと判定するように、ネットワークデバイスに上りメッセージを送信する、
ように特に構成されている。
【００４９】
第4の態様および前述の可能な実施態様に関連して、別の可能な実施態様において、通知部は、
スケジューリング要求SR機能をサポートしている1つのセカンダリ・コア・キャリアに基づいて、ネットワークデバイスにSRを送信し、
ネットワークデバイスがUEに割り振った上りリソースを受信し、
上りリソースを用いてネットワークデバイスに上りメッセージを送信する、
ように特に構成されている。
【００５０】
第4の態様および前述の可能な実施態様に関連して、別の可能な実施態様において、決定部は、
プライマリ・コア・リンクに障害が発生したと判定したときに、プライマリ・コア・キャリアを変更することを決定する、
ように特に構成されている。
【００５１】
第4の態様および前述の可能な実施態様に関連して、別の可能な実施態様において、決定部は、
事前設定規則に従ってセカンダリ・コア・キャリアの中から新しいプライマリ・コア・キャリアを決定する、
ように特に構成されており、
事前設定規則は、事前設定順序、セカンダリ・コア・キャリアに基づいて送信される信号の品質、またはセカンダリ・コア・キャリアに対応するセル識別情報のうちの少なくとも1つを含む。
【００５２】
第4の態様および前述の可能な実施態様に関連して、別の可能な実施態様において、複数のコンポーネントキャリアが少なくとも2つのコアキャリアを含む場合、
受信部は、ネットワークデバイスが送信したキャリア・アグリゲーション・モデルを受信した後で、ネットワークデバイスが送信した測定イベントを受信する、ようにさらに構成されており、
決定部は、近隣のセルの信号品質または信号強度がコアキャリアのいずれか1つに対応するセルの信号品質または信号強度より大きい場合、受信部が受信した測定イベントに従って、ネットワークデバイスに測定報告を報告することを決定する、ようにさらに構成されている。
【００５３】
本発明の第5の態様によれば、ネットワークデバイスが提供され、本ネットワークデバイスは、
ユーザ機器UEがキャリア・アグリゲーション・モデルに従ってネットワークデバイスとのデータ伝送を行うように、UEのためのキャリア・アグリゲーション・モデルを構成するように構成される、プロセッサ、
を含み、
キャリア・アグリゲーション・モデルは複数のコンポーネントキャリアを含み、複数のコンポーネントキャリアは少なくとも1つのコアキャリアを含み、少なくとも1つのコアキャリアは少なくとも1つのプライマリ・コア・キャリアを含み、コアキャリアは、上り伝送機能および下り伝送機能を有し、上り伝送機能は、下りデータに対応する上りフィードバック機能、下りチャネル状態フィードバック機能、または上りデータ伝送機能、のうちの少なくとも1つを含み、下り伝送機能は、上りデータに対応する下りフィードバック機能、上りチャネル状態フィードバック機能、または下りデータ伝送機能、のうちの少なくとも1つを含み、プライマリ・コア・キャリアは、システムメッセージ伝達機能、ページングメッセージ伝達機能、半静的スケジューリングパラメータ構成機能、キャンピング参照機能、または暗号化参照機能、のうちの少なくとも1つの機能を有する。
【００５４】
第5の態様に関連して、1つの可能な実施態様において、
プロセッサは、ユーザ機器UEのためのキャリア・アグリゲーション・モデルを構成する前に、複数のコンポーネントキャリアの中の上り伝送機能および下り伝送機能を有するコンポーネントキャリアをコアキャリアとして決定する、ようにさらに構成される。
【００５５】
第5の態様および前述の可能な実施態様に関連して、別の可能な実施態様において、複数のコンポーネントキャリアが少なくとも2つのコアキャリアを含む場合、
プロセッサは、ユーザ機器UEのためのキャリア・アグリゲーション・モデルを構成した後で、プライマリ・コア・キャリアを変更することを決定し、少なくとも2つのコアキャリアの中のプライマリ・コア・キャリア以外のコアキャリアであるセカンダリ・コア・キャリアの中から新しいプライマリ・コア・キャリアを決定する、ようにさらに構成され、
本ネットワークデバイスは、
UEがプライマリ・コア・キャリアを新しいプライマリ・コア・キャリアに変更するように、UEにプライマリ・コア・キャリア変更通知メッセージを送信するように構成される送信機であって、プライマリ・コア・キャリア変更通知メッセージはUEにプライマリ・コア・キャリアを変更するよう命令するのに用いられる、送信機、
をさらに含む。
【００５６】
第5の態様および前述の可能な実施態様に関連して、別の可能な実施態様において、送信機は、
物理層シグナリングまたは媒体アクセス制御MAC層シグナリングを用いてUEにプライマリ・コア・キャリア変更通知メッセージを送信する、
ように特に構成される。
【００５７】
第5の態様および前述の可能な実施態様に関連して、別の可能な実施態様において、
プロセッサは、送信機がUEにプライマリ・コア・キャリア変更通知メッセージを送信した後で、UEがトリガしたランダム・アクセス・チャネルRACH手順に従って、UEのプライマリ・コア・キャリアが正常に変更されたと判定する、ようにさらに構成される。
【００５８】
第5の態様および前述の可能な実施態様に関連して、別の可能な実施態様において、プライマリ・コア・キャリア変更通知メッセージは専用プリアンブルシーケンスを含む。
【００５９】
第5の態様および前述の可能な実施態様に関連して、別の可能な実施態様において、
プロセッサは、送信機がUEにプライマリ・コア・キャリア変更通知メッセージを送信した後で、専用プリアンブルシーケンスを用い、新しいプライマリ・コア・キャリアに対応する上りキャリアに基づいてUEがトリガしたRACH手順に従って、UEのプライマリ・コア・キャリアが正常に変更されたと判定する、ようにさらに構成される。
【００６０】
第5の態様および前述の可能な実施態様に関連して、別の可能な実施態様において、複数のコンポーネントキャリアが少なくとも2つのコアキャリアを含む場合、本ネットワークデバイスは、
プロセッサがユーザ機器UEのためのキャリア・アグリゲーション・モデルを構成した後で、UEのプライマリ・コア・キャリアが変更されたという通知を受信する、ように構成される、受信機
をさらに含む。
【００６１】
第5の態様および前述の可能な実施態様に関連して、別の可能な実施態様において、受信機は、
新しいプライマリ・コア・キャリアに対応する上りキャリアに基づいてUEがトリガしたRACH手順を受信する、
ように特に構成され、
プロセッサは、受信機が、UEのプライマリ・コア・キャリアが変更されたという通知を受信した後で、RACH手順に従って、プライマリ・コア・キャリアが変更されたと判定する、ようにさらに構成される。
【００６２】
第5の態様および前述の可能な実施態様に関連して、別の可能な実施態様において、受信機は、
ネットワークデバイスにプライマリ・コア・キャリアが変更されたことを通知するのに用いられる、UEが送信した上りメッセージを受信する、
ように特に構成され、
プロセッサは、受信機が、UEのプライマリ・コア・キャリアが変更されたという通知を受信した後で、受信機が受信した上りメッセージに従って、プライマリ・コア・キャリアが変更されたと判定する、ようにさらに構成される。
【００６３】
第5の態様および前述の可能な実施態様に関連して、別の可能な実施態様において、受信機は、
スケジューリング要求SR機能をサポートしている1つのセカンダリ・コア・キャリアに基づいてUEが送信したSRを受信し、
UEに上りリソースを割り振り、
上りリソースを用いてUEが送信した上りメッセージを受信する、
ように特に構成される。
【００６４】
第5の態様および前述の可能な実施態様に関連して、別の可能な実施態様において、複数のコンポーネントキャリアが少なくとも2つのコアキャリアを含む場合、
プロセッサは、ユーザ機器UEのためのキャリア・アグリゲーション・モデルを構成した後で、UEの測定イベントを構成する、ようにさらに構成され、測定イベントは、近隣のセルの信号品質または信号強度がコアキャリアのいずれか1つに対応するセルの信号品質または信号強度より大きい場合、UEに、ネットワークデバイスに測定報告を報告するよう命令するのに用いられる。
【００６５】
本発明の第6の態様によれば、ユーザ機器が提供され、本ユーザ機器は、
ネットワークデバイスが送信したキャリア・アグリゲーション・モデルを受信するように構成される、受信機と、
受信機が受信したキャリア・アグリゲーション・モデルに従ってネットワークデバイスとデータ伝送を行うように構成される、送信機と、
を含み、
キャリア・アグリゲーション・モデルは複数のコンポーネントキャリアを含み、複数のコンポーネントキャリアは少なくとも1つのコアキャリアを含み、少なくとも1つのコアキャリアは少なくとも1つのプライマリ・コア・キャリアを含み、コアキャリアは、上り伝送機能および下り伝送機能を有し、上り伝送機能は、下りデータに対応する上りフィードバック機能、下りチャネル状態フィードバック機能、または上りデータ伝送機能、のうちの少なくとも1つを含み、下り伝送機能は、上りデータに対応する下りフィードバック機能、上りチャネル状態フィードバック機能、または下りデータ伝送機能、のうちの少なくとも1つを含み、プライマリ・コア・キャリアは、システムメッセージ伝達機能、ページングメッセージ伝達機能、半静的スケジューリングパラメータ構成機能、キャンピング参照機能、または暗号化参照機能、のうちの少なくとも1つの機能を有する。
【００６６】
第6の態様に関連して、1つの可能な実施態様において、複数のコンポーネントキャリアが少なくとも2つのコアキャリアを含む場合、
受信機は、ネットワークデバイスが送信したキャリア・アグリゲーション・モデルを受信した後で、ネットワークデバイスが送信したプライマリ・コア・キャリア変更通知メッセージを受信する、ようにさらに構成され、
本ユーザ機器は、
受信機が受信したプライマリ・コア・キャリア変更通知メッセージに従って、プライマリ・コア・キャリアを新しいプライマリ・コア・キャリアに変更するように構成される、プロセッサ、
をさらに含む。
【００６７】
第6の態様および前述の可能な実施態様に関連して、別の可能な実施態様において、
プロセッサは、プライマリ・コア・キャリア変更通知メッセージに従ってプライマリ・コア・キャリアを新しいプライマリ・コア・キャリアに変更した後で、ネットワークデバイスが、ランダム・アクセス・チャネルRACH手順に従って、プライマリ・コア・キャリアが正常に変更されたと判定するように、RACH手順をトリガする、ようにさらに構成される。
【００６８】
第6の態様および前述の可能な実施態様に関連して、別の可能な実施態様において、プライマリ・コア・キャリア変更通知メッセージは専用プリアンブルシーケンスを含み、
プロセッサは、プライマリ・コア・キャリア変更通知メッセージに従ってプライマリ・コア・キャリアを新しいプライマリ・コア・キャリアに変更した後で、ネットワークデバイスが、専用プリアンブルシーケンスに従って、プライマリ・コア・キャリアが正常に変更されたと判定するように、専用プリアンブルシーケンスを用い、新しいプライマリ・コア・キャリアに対応する上りキャリアに基づいてRACH手順をトリガする、ようにさらに構成される。
【００６９】
第6の態様および前述の可能な実施態様に関連して、別の可能な実施態様において、複数のコンポーネントキャリアが少なくとも2つのコアキャリアを含む場合、
プロセッサは、受信機が、ネットワークデバイスが送信したキャリア・アグリゲーション・モデルを受信した後で、プライマリ・コア・キャリアを変更することを決定し、少なくとも2つのコアキャリアの中のプライマリ・コア・キャリア以外のコアキャリアであるセカンダリ・コア・キャリアの中から新しいプライマリ・コア・キャリアを決定する、ようにさらに構成され、
送信機は、ネットワークデバイスに、プライマリ・コア・キャリアが変更されたことを通知する、ようにさらに構成される。
【００７０】
第6の態様および前述の可能な実施態様に関連して、別の可能な実施態様において、送信機は、
ネットワークデバイスが、RACH手順に従って、プライマリ・コア・キャリアが変更されたと判定するように、新しいプライマリ・コア・キャリアに対応する上りキャリアに基づいて、RACH手順をトリガする、
ように特に構成される。
【００７１】
第6の態様および前述の可能な実施態様に関連して、別の可能な実施態様において、送信機は、
ネットワークデバイスが、ネットワークデバイスにプライマリ・コア・キャリアが変更されたことを通知するのに用いられる上りメッセージに従って、プライマリ・コア・キャリアが変更されたと判定するように、ネットワークデバイスに上りメッセージを送信する、
ように特に構成される。
【００７２】
第6の態様および前述の可能な実施態様に関連して、別の可能な実施態様において、送信機は、
スケジューリング要求SR機能をサポートしている1つのセカンダリ・コア・キャリアに基づいて、ネットワークデバイスにSRを送信し、
ネットワークデバイスがUEに割り振った上りリソースを受信し、
上りリソースを用いてネットワークデバイスに上りメッセージを送信する、
ように特に構成される。
【００７３】
第6の態様および前述の可能な実施態様に関連して、別の可能な実施態様において、プロセッサは、
プライマリ・コア・リンクに障害が発生したと判定したときに、プライマリ・コア・キャリアを変更することを決定する、
ように特に構成される。
【００７４】
第6の態様および前述の可能な実施態様に関連して、別の可能な実施態様において、プロセッサは、
事前設定規則に従ってセカンダリ・コア・キャリアの中から新しいプライマリ・コア・キャリアを決定する、
ように特に構成され、
事前設定規則は、事前設定順序、セカンダリ・コア・キャリアに基づいて送信される信号の品質、またはセカンダリ・コア・キャリアに対応するセル識別情報のうちの少なくとも1つを含む。
【００７５】
第6の態様および前述の可能な実施態様に関連して、別の可能な実施態様において、複数のコンポーネントキャリアが少なくとも2つのコアキャリアを含む場合、
受信機は、ネットワークデバイスが送信したキャリア・アグリゲーション・モデルを受信した後で、ネットワークデバイスが送信した測定イベントを受信する、ようにさらに構成され、
プロセッサは、近隣のセルの信号品質または信号強度がコアキャリアのいずれか1つに対応するセルの信号品質または信号強度より大きい場合、受信機が受信した測定イベントに従って、ネットワークデバイスに測定報告を報告することを決定する、ようにさらに構成される。
【００７６】
本発明で提供されるキャリア構成方法およびデバイスによれば、ネットワークデバイスは、UEがキャリア・アグリゲーション・モデルに従ってネットワークデバイスとのデータ伝送を行うように、UEのためのキャリア・アグリゲーション・モデルを構成し、キャリア・アグリゲーション・モデルは複数のコンポーネントキャリアを含み、複数のコンポーネントキャリアは少なくとも1つのコアキャリアを含み、少なくとも1つのコアキャリアは少なくとも1つのプライマリ・コア・キャリアを含む。UEのために少なくとも1つのコアキャリアを含むキャリア・アグリゲーション・モデルを構成することによって、普通のセカンダリ・コンポーネント・キャリアと重要なセカンダリ・コンポーネント・キャリアを区別することができ、重要なセカンダリ・コンポーネント・キャリアもコアキャリアとして使用される。これにより、重要なセカンダリ・コンポーネント・キャリアを管理することが可能になるだけでなく、UEにより多くのコアキャリアの選択肢も提供される。
【００７７】
本発明の実施形態における、または先行技術における技術的解決策をより明確に説明するために、以下で、各実施形態または先行技術を説明するのに必要な添付の図面について簡単に記述する。明らかに、以下の説明の添付の図面は単に本発明の一部の実施形態を示しているにすぎず、当業者は、これら添付の図面から難なく他の図面をさらに導出することができる。
【図面の簡単な説明】
【００７８】
【図１】本発明の実施形態によるキャリア構成方法の流れ図である。
【図２】本発明の別の実施形態によるキャリア構成方法の流れ図である。
【図３】本発明の別の実施形態によるキャリア構成方法の流れ図である。
【図４】本発明の別の実施形態による別のキャリア構成方法の流れ図である。
【図５】本発明の別の実施形態によるネットワークデバイスの概略構成図である。
【図６】本発明の別の実施形態による別のネットワークデバイスの概略構成図である。
【図７】本発明の別の実施形態による別のネットワークデバイスの概略構成図である。
【図８】本発明の別の実施形態による別のネットワークデバイスの概略構成図である。
【図９】本発明の別の実施形態によるユーザ機器の概略構成図である。
【図１０】本発明の別の実施形態による別のユーザ機器の概略構成図である。
【図１１】本発明の別の実施形態による別のユーザ機器の概略構成図である。
【図１２】本発明の別の実施形態によるネットワークデバイスの概略構成図である。
【図１３】本発明の別の実施形態によるユーザ機器の概略構成図である。
【発明を実施するための形態】
【００７９】
以下で、本発明の実施形態における添付の図面に関連して、本発明の実施形態における技術的解決策を明確かつ十分に説明する。明らかに、説明される実施形態は本発明の実施形態の全部ではなく一部にすぎない。本発明の実施形態に基づいて当業者により難なく得られる他のすべての実施形態は、本発明の保護範囲内に含まれるものとする。
【００８０】
本明細書に記載される技術は、例えば、現在の2Gおよび3G通信システムや次世代通信システム、例えば、モバイル通信用グローバルシステム（英語：Global System for Mobile communications、略称：GSM(登録商標)）、符号分割多元接続（英語：Code Division Multiple Access、略称：CDMA）システム、時分割多元接続（英語：Time Division Multiple Access、略称：TDMA）システム、広帯域符号分割多元接続（英語：Wideband Code Division Multiple Access Wireless、略称：WCDMA(登録商標)）システム、周波数分割多元接続（Frequency Division Multiple Addressing、略称：FDMA）システム、直交周波数分割多元接続（英語：Orthogonal Frequency−Division Multiple Access、略称：OFDMA）システム、シングルキャリアFDMA（SC−FDMA）システム、汎用パケット無線サービス（英語：General Packet Radio Service、略称：GPRS）システム、ロング・ターム・エボルーション（英語：Long Term Evolution、略称：LTE）システム、他の通信システムなど、様々な通信システムに適用することができる。
【００８１】
本明細書では、端末および／または基地局および／または基地局ノードに関連して様々な態様について説明する。
【００８２】
ユーザ機器は無線端末であっても有線端末であってもよい。無線端末は、ユーザに音声および／またはデータ接続を提供するデバイスであっても、無線接続機能を備えるハンドヘルドデバイスであっても、無線モデムに接続された別の処理装置であってもよい。無線端末は無線アクセスネットワーク（英語：Radio Access Network、略称RAN）を用いて1つまたは複数のコアネットワークと通信してよい。無線端末は、携帯電話機（「セルラ」電話機ともいう）や移動端末を備えるコンピュータといった移動端末であってよく、例えば、無線アクセスネットワークと音声および／またはデータを交換する、携帯型、ポケットサイズ、ハンドヘルド型、コンピュータ内蔵型、または車載型のモバイル装置とすることができる。例えば、無線端末は、パーソナル通信サービス（英語：Personal Communication Service、略称：PCS）電話機、コードレス電話セット、セッション開始プロトコル（英語：Session Initiation Protocol、略称：SIP）電話機、ワイヤレス・ローカル・ループ（英語：Wireless Local Loop、略称：WLL）局、携帯情報端末（英語：Personal Digital Assistant、略称：PDA）といったデバイスとすることができる。また無線端末を、システム、加入者ユニット（Subscriber Unit）、加入者局（Subscriber Station）、移動局（Mobile Station）、移動端末（Mobile）、リモート局（Remote Station）、アクセスポイント（Access Point）、リモート端末（Remote Terminal）、アクセス端末（Access Terminal）、ユーザ端末（User Terminal）、ユーザエージェント（User Agent）、あるいはユーザ機器（User Equipment）と呼ぶこともある。
【００８３】
基地局（例えばアクセスポイント）は、アクセスネットワークのエアインターフェース上の1つまたは複数のセクタによって無線端末と通信するデバイスであってよい。基地局は、受信した無線通信経由のフレームをIPパケットに変換し、または受信したIPパケットを無線通信経由のフレームに変換し、無線端末とアクセスネットワークの残りの部分との間のルータとして働くように構成されていてよく、アクセスネットワークの残りの部分はインターネットプロトコル（英語：Internet Protocol、略称：IP）ネットワークを含んでいてよい。基地局はエアインターフェースの属性管理を調整することができる。例えば、基地局は、GSMまたはCDMAにおける基地局（英語：Base Transceiver Station、略称：BTS）であってもよく、WCDMAにおけるノードB（NodeB）であってもよく、LTEにおける進化型ノードB（evolutional Node B、NodeB、eNB、またはe−NodeB）であってもよく、これについては本出願では限定されない。
【００８４】
加えて、「システム」という用語と「ネットワーク」という用語は本明細書では区別なく用いられる場合がある。本明細書における「および／または」という用語は、関連付けられる対象を記述する場合の結合関係を記述するにすぎず、3つの関係が存在しうることを表す。例えば、Aおよび／またはBは、Aのみが存在する、AとBの両方が存在する、およびBのみが存在する、という3つの場合を表す。加えて、本明細書における文字「／」は一般に、関連付けられる対象間の「または」の関係を示す。
【００８５】
加えて、本明細書におけるネットワークデバイスとは、基地局であってもよく、基地局コントローラであってもよく、ユーザ機器と通信する機能を有する別のネットワーク側デバイスであってもよい。
【００８６】
本発明の一実施形態はキャリア構成方法を提供する。図1に示すように、本方法は以下のステップを含む。
【００８７】
101．ネットワークデバイスが、UEがキャリア・アグリゲーション・モデルに従ってネットワークデバイスとのデータ伝送を行うように、UEのためのキャリア・アグリゲーション・モデルを構成する。
【００８８】
ネットワークデバイスがUEのために構成するキャリア・アグリゲーション・モデルは複数のコンポーネントキャリアを含み、複数のコンポーネントキャリアは少なくとも1つのコアキャリアを含み、少なくとも1つのコアキャリアは少なくとも1つのプライマリ・コア・キャリアを含む。すなわち、キャリア・アグリゲーション・モデルに含まれる複数のコンポーネントキャリアは、1つのコアキャリアを含む場合もあり、少なくとも2つのコアキャリアを含む場合もある。加えて、複数のコンポーネントキャリアが1つのコアキャリアを含む場合、コアキャリアはプライマリ・コア・キャリアであり、複数のコンポーネントキャリアが少なくとも2つのコアキャリアを含む場合、少なくとも2つのコアキャリアは少なくとも1つのプライマリ・コア・キャリアを含むことができる。
【００８９】
本発明の本実施形態のコアキャリアは、上り伝送機能および下り伝送機能を有する。上り伝送機能は、下りデータに対応する上りフィードバック機能、下りチャネル状態フィードバック機能、または上りデータ伝送機能、のうちの少なくとも1つを含む。下り伝送機能は、上りデータに対応する下りフィードバック機能、上りチャネル状態フィードバック機能、または下りデータ伝送機能、のうちの少なくとも1つを含む。非コアキャリア、すなわち、キャリア・アグリゲーション・モデルに含まれる複数のコンポーネントキャリアの中のコアキャリア以外のキャリアは、上り伝送機能および／または下り伝送機能を有する。本発明の本実施形態のプライマリ・コア・キャリアは、システムメッセージ伝達機能、ページングメッセージ伝達機能、半静的スケジューリングパラメータ構成機能、キャンピング参照機能、または暗号化参照機能、のうちの少なくとも1つの機能を有する。具体的には、キャンピング参照機能とは、UEがプライマリ・コア・キャリアに対応するセルにキャンプオンし、位置更新を行うときに、プライマリ・コア・キャリアに対応するセルをサービングセルとして用いて位置を報告することを意味する。暗号化参照機能とは、ネットワークデバイスとUEとが、プライマリ・コア・キャリアに対応するサービングセルのセル識別情報に従って暗号化を行うことを意味する。
【００９０】
例えば、ネットワークデバイスがUEのために構成するキャリア・アグリゲーション・モデルは6つのコンポーネントキャリア、CC0、CC1、CC2、CC3、CC4、およびCC5を含む。CC0とCC1はどちらもコアキャリアであり、各々、上り伝送機能および下り伝送機能を有する。CC1はプライマリ・コア・キャリアである。残りのコンポーネントキャリア、CC2、CC3、CC4、およびCC5はすべて非コアキャリアであり、上り伝送機能および／または下り伝送機能を有する。この場合、ネットワークデバイスがUEのためのアグリゲーション・キャリア・モデルを構成した後で、UEは、CC1に対応するセルにキャンプオンし、CC1に対応するセルのシステムブロードキャストを読み取り、CC1に対応するセルからページングメッセージなどを受信し、キャリアアグリゲーション技術を用い、CC0、CC1、CC2、CC3、CC4、およびCC5に基づいてネットワークデバイスとデータ伝送を行うことができる。
【００９１】
本発明の本実施形態で提供されるキャリア構成方法によれば、ネットワークデバイスは、UEがキャリア・アグリゲーション・モデルに従ってネットワークデバイスとデータ伝送を行うように、UEのためのキャリア・アグリゲーション・モデルを構成し、キャリア・アグリゲーション・モデルは複数のコンポーネントキャリアを含み、複数のコンポーネントキャリアは少なくとも1つのコアキャリアを含み、少なくとも1つのコアキャリアは少なくとも1つのプライマリ・コア・キャリアを含む。UEのために少なくとも1つのコアキャリアを含むキャリア・アグリゲーション・モデルを構成することによって、普通のセカンダリ・コンポーネント・キャリアと重要なセカンダリ・コンポーネント・キャリアを区別することができ、重要なセカンダリ・コンポーネント・キャリアもコアキャリアとして使用される。これにより、重要なセカンダリ・コンポーネント・キャリアを管理することが可能になるだけでなく、UEにより多くのコアキャリアの選択肢も提供される。
【００９２】
さらに、ステップ101を行う前に、ネットワークデバイスは、複数のコンポーネントキャリアの中の上り伝送機能および下り伝送機能を有するコンポーネントキャリアをコアキャリアとして決定することができる。
【００９３】
ネットワークデバイスは、複数のコンポーネントキャリアに含まれる、上り伝送機能および下り伝送機能を有するセカンダリ・コンポーネント・キャリア（セカンダリ・コンポーネント・キャリアは、複数のコンポーネントキャリアの中のプライマリ・コンポーネント・キャリア以外のコンポーネントキャリアであり、プライマリ・コンポーネント・キャリアは、本発明の本実施形態のコアキャリアのうちの1つでもあり、プライマリ・コンポーネント・キャリアは事前に指定される）の中のコンポーネントキャリアを直接決定することができる。
【００９４】
当然ながら、上り伝送機能および下り伝送機能を有するコンポーネントキャリアを決定した後で、さらに、ネットワークデバイスは、上り伝送機能および下り伝送機能を有するコンポーネントキャリアの中から、そのチャネル品質が事前設定閾値より良好なコンポーネントキャリアをコアキャリアとして決定してもよく、または上り伝送機能および下り伝送機能を有するコンポーネントキャリアの中から、そのチャネル品質が相対的に良好なコンポーネントキャリアをコアキャリアとして決定してもよい。
【００９５】
さらに、UEとネットワークデバイスとの間の通信の安定性を向上させるために、複数のコンポーネントキャリアが少なくとも2つのコアキャリアを含む場合、第1の可能な実施態様において、ネットワークデバイスは、プライマリ・コア・キャリア変更を能動的にトリガすることができる。具体的には、ステップ101の後で、ネットワークデバイスは、プライマリ・コア・キャリアを変更することを決定し、セカンダリ・コア・キャリアの中から新しいプライマリ・コア・キャリアを決定することができ、UEがプライマリ・コア・キャリアから新しいプライマリ・コア・キャリアに変更するように、UEにプライマリ・コア・キャリア変更通知メッセージを送信することができる。
【００９６】
ネットワークデバイスが、プライマリ・コア・キャリアを変更することを決定するステップは、具体的には、ネットワークデバイスが、UEの測定報告に従って、セカンダリ・コア・キャリアのチャネル品質が現在のプライマリ・コア・キャリアのチャネル品質より良好であると判定した場合、プライマリ・コア・キャリアを変更することを決定するステップであって、そのチャネル品質が、測定報告に従って、現在のプライマリ・コア・キャリアのチャネル品質より良好であると判定されたセカンダリ・コア・キャリアを、プライマリ・コア・キャリアとして更新するステップとすることができる、ステップ、またはネットワークデバイスが、現在のプライマリ・コア・キャリアに対応するセルの負荷が相対的に高いと判定した場合にプライマリ・コア・キャリアを変更することを決定するステップ、を含んでいてよい。
【００９７】
セカンダリ・コア・キャリアは、少なくとも2つのコアキャリアの中のプライマリ・コア・キャリア以外のコアキャリアである。プライマリ・コア・キャリア変更通知メッセージは、UEに、プライマリ・コア・キャリアを変更するよう命令するのに用いられる。
【００９８】
例えば、複数のコンポーネントキャリアが2つのコアキャリアを含む場合、ネットワークデバイスが、セカンダリ・コア・キャリアの中から新しいプライマリ・コア・キャリアを決定するステップは、具体的には、ネットワークデバイスが直接、現在のプライマリ・コア・キャリア以外のセカンダリ・コア・キャリアを新しいプライマリ・コア・キャリアとして用いるステップと、UEにプライマリ・コア・キャリア変更通知メッセージを送信するステップと、であってよい。このように、複数のコンポーネントキャリアは2つのコアキャリアだけしか含まないため、ネットワークデバイスが送信したプライマリ・コア・キャリア変更通知メッセージを受信した後で、UEは、2つのコアキャリアの中の現在のプライマリ・コア・キャリア以外のセカンダリ・コア・キャリアを新しいプライマリ・コア・キャリアとして変更することができる。複数のコンポーネントキャリアが3つ以上のコアキャリアを含む場合、ネットワークデバイスが、セカンダリ・コア・キャリアの中から新しいプライマリ・コア・キャリアを決定するステップは、具体的には、ネットワークデバイスが、セカンダリ・コア・キャリアのチャネル品質またはセカンダリ・コア・キャリアに対応するセルの負荷状況に従ってセカンダリ・コア・キャリアの中から新しいプライマリ・コア・キャリアを決定するステップと、UEに、新しいプライマリ・コア・キャリアの識別子を搬送するプライマリ・コア・キャリア変更通知メッセージを送信するステップと、であってよい。このように、ネットワークデバイスが送信したプライマリ・コア・キャリア変更通知メッセージを受信した後で、UEは、プライマリ・コア・キャリア変更通知メッセージで搬送された識別子に従って、識別子に対応するセカンダリ・コア・キャリアを新しいプライマリ・コア・キャリアとして変更することができる。
【００９９】
さらに、ネットワークデバイスが、プライマリ・コア・キャリア変更通知メッセージを送信するステップは、具体的には、ネットワークデバイスが、物理層シグナリングまたは媒体アクセス制御MAC（英語：Medium Access Control、略称：MAC）層シグナリングを用いてUEにプライマリ・コア・キャリア変更通知メッセージを送信するステップ、であってよい。
【０１００】
例えば、物理層シグナリングは、物理制御チャネルコマンドであってよく、MACシグナリングは、MAC制御ユニットであってよい。
【０１０１】
さらに、UEにプライマリ・コア・キャリア変更通知メッセージを送信した後で、ネットワークデバイスは、UEがトリガしたランダム・アクセス・チャネル（英語：Random Access channel、略称：RACH）手順に従って、UEのプライマリ・コア・キャリアが正常に変更されたと判定することができる。
【０１０２】
例えば、UEがトリガするRACH手順は、具体的には競合ベースのRACH手順であり、具体的には以下の手順を含んでいてよい：UEは、プリアンブルシーケンスを決定し、ネットワークデバイスにプリアンブルシーケンスを送信する；ネットワークデバイスは、プリアンブルシーケンスを受信した後でUEに確認応答情報を送信し、確認応答情報は、後続の伝送で用いられるべき上り送信許可を指示し、かつ／またはUEの上り送信タイミングを調整するのに用いられる；UEは、上り送信許可に従ってネットワークデバイスに、UEの識別子情報を搬送する上りデータユニットを送信する；ネットワークデバイスは、UEの識別子情報を搬送する上りデータユニットに従って、前に受信したプリアンブルシーケンスに対応するUEを決定し、UEがネットワークデバイスは上りデータユニットを受信していると判定するように、UEに、送信許可またはUEの識別子を搬送する下りデータを送信する。ネットワークデバイスは、UEが送信した、UEの識別子を搬送する受信した上りデータユニットに従って、UEのプライマリ・コア・キャリアは正常に変更されたと判定することができる。
【０１０３】
さらに、ネットワークデバイスがUEに送信するプライマリ・コア・キャリア変更通知メッセージは、専用プリアンブルシーケンスを含むことができる。
【０１０４】
さらに、ネットワークデバイスがUEに送信したプライマリ・コア・キャリア変更通知メッセージが専用プリアンブルシーケンス含む場合、UEにプライマリ・コア・キャリア変更通知メッセージを送信した後で、ネットワークデバイスは、専用プリアンブルシーケンスを用い、新しいプライマリ・コア・キャリアに対応する上りキャリアに基づいてUEがトリガしたRACH手順に従って、UEのプライマリ・コア・キャリアは正常に変更されたと判定することができる。
【０１０５】
例えば、専用プリアンブルシーケンスを用いてUEがトリガするRACH手順は、具体的には、非競合ベースのRACH手順であり、具体的には、以下の手順を含んでいてよい：UEは、新しいプライマリ・コア・キャリアに対応する上りキャリアに基づいて、ネットワークデバイスに専用プリアンブルシーケンスを送信する；専用プリアンブルシーケンスを受信した後で、ネットワークデバイスはUEに確認応答情報を送信し、確認応答情報は、後続の伝送で用いられるべき上り送信許可を指示し、かつ／またはUEの上り送信タイミングを調整するのに用いられる。ネットワークデバイスは、UEが送信した、受信した専用プリアンブルシーケンスに従って、UEのプライマリ・コア・キャリアは正常に変更されたと判定することができる。
【０１０６】
さらに、UEとネットワークデバイスとの間の通信の安定性を向上させるために、複数のコンポーネントキャリアが少なくとも2つのコアキャリアを含む場合、第2の可能な実施態様において、UEは、プライマリ・コア・キャリア変更を能動的にトリガすることができる。この場合、ステップ101の後で、ネットワークデバイスは、UEのプライマリ・コア・キャリアが変更されたという通知を受信する。
【０１０７】
さらに、1つの可能な実施態様において、ネットワークデバイスが、UEのプライマリ・コア・キャリアが変更されたという通知を受信するステップは、具体的には、ネットワークデバイスが、新しいプライマリ・コア・キャリアに対応する上りキャリアに基づいてUEがトリガしたRACH手順を受信するステップ、であってよい。このように、UEのプライマリ・コア・キャリアが変更されたという通知を受信した後で、ネットワークデバイスは、RACH手順に従って、プライマリ・コア・キャリアが変更されたと判定することができる。
【０１０８】
さらに、別の可能な実施態様において、ネットワークデバイスが、UEのプライマリ・コア・キャリアが変更されたという通知を受信するステップは、具体的には、ネットワークデバイスが、UEが送信した上りメッセージを受信するステップであって、上りメッセージは、ネットワークデバイスに、プライマリ・コア・キャリアが変更されたことを通知するのに用いられる、ステップ、であってよい。このように、UEのプライマリ・コア・キャリアが変更されたという通知を受信した後で、ネットワークデバイスは、上りメッセージに従って、プライマリ・コア・キャリアが変更されたと判定することができる。
【０１０９】
さらに、ネットワークデバイスが、UEが送信した上りメッセージを受信するステップは、具体的には、ネットワークデバイスが、スケジューリング要求（英語：Scheduling Request、略称：SR）機能をサポートしている1つのセカンダリ・コア・キャリアに基づいてUEが送信したSRを受信するステップと、UEに上りリソースを割り振るステップと、であってよい。この場合、ネットワークデバイスは、UEに割り振られた上りリソースを用いてUEが送信した上りメッセージを受信することができる。
【０１１０】
さらに、複数のコンポーネントキャリアが少なくとも2つのコアキャリアを含む場合、ステップ101の後に、ネットワークデバイスは、UEの測定イベントを構成することができ、測定イベントは、近隣のセルの信号品質または信号強度がコアキャリアのいずれか1つに対応するセルの信号品質または信号強度より大きい場合、UEに、ネットワークデバイスに測定報告を報告するよう命令するのに用いられる。
【０１１１】
基地局が送信した測定イベントを受信した後で、UEは、近隣のセルの信号品質または信号強度を測定し、近隣のセルの信号品質または信号強度がコアキャリアのいずれか1つに対応するセルの信号品質または信号強度より大きい場合、受信した測定イベントに従って、基地局に測定報告を報告することを決定することができ、測定報告は、基地局がコアキャリアを変更する必要があるかどうか判定するための基礎として使用される。
【０１１２】
本発明の別の実施形態はキャリア構成方法を提供する。図2に示すように、本方法は以下のステップを含む。
【０１１３】
201．UEが、ネットワークデバイスが送信したキャリア・アグリゲーション・モデルを受信する。
【０１１４】
キャリア・アグリゲーション・モデルは複数のコンポーネントキャリアを含んでいてよく、複数のコンポーネントキャリアは少なくとも1つのコアキャリアを含み、少なくとも1つのコアキャリアは少なくとも1つのプライマリ・コア・キャリアを含む。
【０１１５】
本発明の本実施形態のコアキャリアは、上り伝送機能および下り伝送機能を有する。上り伝送機能は、下りデータに対応する上りフィードバック機能、下りチャネル状態フィードバック機能、または上りデータ伝送機能、のうちの少なくとも1つを含む。下り伝送機能は、上りデータに対応する下りフィードバック機能、上りチャネル状態フィードバック機能、または下りデータ伝送機能、のうちの少なくとも1つを含む。非コアキャリア、すなわち、キャリア・アグリゲーション・モデルに含まれる複数のコンポーネントキャリアの中のコアキャリア以外のキャリアは、上り伝送機能および／または下り伝送機能を有する。本発明の本実施形態のプライマリ・コア・キャリアは、システムメッセージ伝達機能、ページングメッセージ伝達機能、半静的スケジューリングパラメータ構成機能、キャンピング参照機能、または暗号化参照機能、のうちの少なくとも1つの機能を有する。具体的には、キャンピング参照機能とは、UEがプライマリ・コア・キャリアに対応するセルにキャンプオンし、位置更新を行うときに、プライマリ・コア・キャリアに対応するセルをサービングセルとして用いて位置を報告することを意味する。暗号化参照機能とは、ネットワークデバイスとUEとが、プライマリ・コア・キャリアに対応するサービングセルのセル識別情報に従って暗号化を行うことを意味する。
【０１１６】
202．UEは、キャリア・アグリゲーション・モデルに従ってネットワークデバイスとデータ伝送を行う。
【０１１７】
本発明の本実施形態で提供されるキャリア構成方法によれば、UEは、ネットワークデバイスが送信したキャリア・アグリゲーション・モデルを受信し、キャリア・アグリゲーション・モデルに従ってネットワークデバイスとデータ伝送を行い、キャリア・アグリゲーション・モデルは複数のコンポーネントキャリアを含み、複数のコンポーネントキャリアは少なくとも1つのコアキャリアを含み、少なくとも1つのコアキャリアは少なくとも1つのプライマリ・コア・キャリアを含む。UEのために少なくとも1つのコアキャリアを含むキャリア・アグリゲーション・モデルを構成することによって、普通のセカンダリ・コンポーネント・キャリアと重要なセカンダリ・コンポーネント・キャリアを区別することができ、重要なセカンダリ・コンポーネント・キャリアもコアキャリアとして使用される。これにより、重要なセカンダリ・コンポーネント・キャリアを管理することが可能になるだけでなく、UEにより多くのコアキャリアの選択肢も提供される。
【０１１８】
さらに、UEとネットワークデバイスとの間の通信の安定性を向上させるために、複数のコンポーネントキャリアが少なくとも2つのコアキャリアを含む場合、第1の可能な実施態様において、ネットワークデバイスは、プライマリ・コア・キャリア変更を能動的にトリガすることができる。具体的には、ステップ201の後に、UEは、ネットワークデバイスが送信したプライマリ・コア・キャリア変更通知メッセージを受信し、受信したプライマリ・コア・キャリア変更通知メッセージに従ってプライマリ・コア・キャリアを新しいプライマリ・コア・キャリアに変更することができる。
【０１１９】
任意選択で、UEは、物理層シグナリングまたはMAC層シグナリングを用いて、ネットワークデバイスが送信したプライマリ・コア・キャリア変更通知メッセージを受信することもできる。
【０１２０】
さらに、ネットワークデバイスが、UEのプライマリ・コア・キャリアが正常に変更されたことを知ることができるように、プライマリ・コア・キャリア変更通知メッセージに従ってプライマリ・コア・キャリアを新しいプライマリ・コア・キャリアに変更した後で、UEは、ネットワークデバイスが、RACH手順に従って、プライマリ・コア・キャリアが正常に変更されたと判定するように、RACH手順をトリガすることができる。
【０１２１】
さらに、ネットワークデバイスが送信し、UEが受信するプライマリ・コア・キャリア変更通知メッセージは、専用プリアンブルシーケンスを含むことができる。
【０１２２】
このシナリオでは、ネットワークデバイスが、UEのプライマリ・コア・キャリアが正常に変更されたことを知ることができるように、プライマリ・コア・キャリア変更通知メッセージに従ってプライマリ・コア・キャリアを新しいプライマリ・コア・キャリアに変更した後で、UEは、ネットワークデバイスが、専用プリアンブルシーケンスに従って、プライマリ・コア・キャリアが正常に変更されたと判定するように、プライマリ・コア・キャリア変更通知メッセージに含まれる専用プリアンブルシーケンスを用い、新しいプライマリ・コア・キャリアに対応する上りキャリアに基づいて、RACH手順をトリガすることができる。
【０１２３】
さらに、UEとネットワークデバイスとの間の通信の安定性を向上させるために、複数のコンポーネントキャリアが少なくとも2つのコアキャリアを含む場合、第2の可能な実施態様において、UEは、プライマリ・コア・キャリア変更を能動的にトリガすることができる。具体的には、ステップ201の後に、UEは、プライマリ・コア・キャリアを変更すべきかどうか判定することができ、UEがプライマリ・コア・キャリアを変更することを決定した場合、UEは、セカンダリ・コア・キャリアの中から新しいプライマリ・コア・キャリアを決定し、ネットワークデバイスに、プライマリ・コア・キャリアが変更されたことを通知する。
【０１２４】
UEが、プライマリ・コア・キャリアを変更すべきかどうか判定するステップは、具体的には、UEが、現在のプライマリ・コア・キャリアに障害が発生し、またはセカンダリ・コア・キャリアのチャネル品質が現在のプライマリ・コア・キャリアのチャネル品質より良好であると判定するステップ、を含んでいてよい。プライマリ・コア・キャリアに障害が発生したことは、プライマリ・コア・キャリアのチャネル品質が事前設定閾値より継続的に低いことを含んでいてよい。
【０１２５】
セカンダリ・コア・キャリアは、少なくとも2つのコアキャリアの中のプライマリ・コア・キャリア以外のコアキャリアである。
【０１２６】
例えば、複数のコンポーネントキャリアが2つのコアキャリアを含む場合、UEが、セカンダリ・コア・キャリアの中から新しいプライマリ・コア・キャリアを決定するステップは、具体的には、UEが直接、2つのコアキャリアの中の現在のプライマリ・コア・キャリア以外のセカンダリ・コア・キャリアを新しいプライマリ・コア・キャリアとして用いるステップと、ネットワークデバイスに、プライマリ・コア・キャリアが変更されたことを通知するステップと、であってよい。複数のコンポーネントキャリアが3つ以上のコアキャリアを含む場合、UEが、セカンダリ・コア・キャリアの中から新しいプライマリ・コア・キャリアを決定するステップは、具体的には、事前設定規則に従ってUEが、セカンダリ・コア・キャリアの中から新しいプライマリ・コア・キャリアを決定するステップと、ネットワークデバイスに、プライマリ・コア・キャリアが変更されたことを通知するステップと、であってよい。
【０１２７】
さらに、事前設定規則は、事前設定順序、セカンダリ・コア・キャリアに基づいて送信される信号の品質、またはセカンダリ・コア・キャリアに対応するセル識別情報のうちの少なくとも1つを含んでいてよい。
【０１２８】
さらに、1つの可能な実施態様において、UEが、ネットワークデバイスに、プライマリ・コア・キャリアが変更されたことを通知するステップは、具体的には、ネットワークデバイスが、RACH手順に従って、プライマリ・コア・キャリアが変更されたと判定するように、新しいプライマリ・コア・キャリアに対応する上りキャリアに基づいてUEが、RACH手順をトリガするステップ、であってよい。
【０１２９】
さらに、別の可能な実施態様において、UEが、ネットワークデバイスに、プライマリ・コア・キャリアが変更されたことを通知するステップは、具体的には、ネットワークデバイスが、上りメッセージに従って、プライマリ・コア・キャリアが変更されたと判定するように、UEが、ネットワークデバイスに上りメッセージを送信するステップ、であってよい。
【０１３０】
上りメッセージは、ネットワークデバイスに、プライマリ・コア・キャリアが変更されたことを通知するのに用いられる。
【０１３１】
さらに、UEが、ネットワークデバイスに上りメッセージを送信するステップは、具体的には、ネットワークデバイスがUEに上りリソースを割り振るように、SR機能をサポートしている1つのセカンダリ・コア・キャリアに基づいてUEが、ネットワークデバイスにSRを送信するステップ、であってよい。この場合、UEは、ネットワークデバイスがUEに割り振った上りリソースを受信し、上りリソースを用いてネットワークデバイスに上りメッセージを送信することができる。
【０１３２】
さらに、1つの可能な実施態様において、UEが、プライマリ・コア・キャリアを変更することを決定するステップは、具体的には、プライマリ・コア・リンクに障害が発生したと判定したときにUEが、プライマリ・コア・リンクを変更することを決定するステップ、であってよい。
【０１３３】
さらに、複数のコンポーネントキャリアが少なくとも2つのコアキャリアを含む場合、ステップ201の後に、UEは、ネットワークデバイスが送信した測定イベントを受信し、近隣のセルの信号品質または信号強度がコアキャリアのいずれか1つに対応するセルの信号品質または信号強度より大きい場合、測定イベントに従って、ネットワークデバイスに測定報告を報告することを決定することができる。
【０１３４】
本発明の別の実施形態はキャリア構成方法を提供する。ネットワークデバイスがUEのために構成したキャリア・アグリゲーション・モデルが複数のコンポーネントキャリアを含む場合、複数のコンポーネントキャリアは少なくとも2つのコアキャリアを含み、少なくとも2つのコアキャリアは少なくとも1つのプライマリ・コア・キャリアを含み、UEとネットワークデバイスとの間の通信の安定性を向上させるために、ネットワークデバイスまたはUEは、現在のプライマリ・コア・キャリアに障害が発生した場合に、変更先のプライマリ・コア・キャリアを用いて通信を続けることができるように、プライマリ・コア・キャリア変更をトリガすることができる。当業者が理解しやすいように、本発明の具体的な実施プロセスを、本発明の様々な応用シナリオについて詳細に説明する。ネットワークデバイスが基地局である例を用いる。
【０１３５】
第1の応用シナリオでは、基地局がプライマリ・コア・キャリア変更を能動的にトリガする。図3に示すように、本シナリオのキャリア構成方法は以下のステップを含む。
【０１３６】
301．基地局が、複数のコンポーネントキャリアの中の上り伝送機能および下り伝送機能を有するコンポーネントキャリアをコアキャリアとして決定し、UEのためのキャリア・アグリゲーション・モデルを構成する。
【０１３７】
302．UEは、基地局が送信したキャリア・アグリゲーション・モデルを受信する。
【０１３８】
例えば、基地局がUEのために構成するキャリア・アグリゲーション・モデルは6つのコンポーネントキャリア、CC0、CC1、CC2、CC3、CC4、およびCC5を含む。CC0、CC1、およびCC5はすべてコアキャリアであり、各々、上り伝送機能および下り伝送機能を有する。CC1はプライマリ・コア・キャリアである。残りのコンポーネントキャリア、CC2、CC3、およびCC4はすべて非コアキャリアであり、上り伝送機能および／または下り伝送機能を有する。
【０１３９】
303．UEは、キャリア・アグリゲーション・モデルに従って基地局とデータ伝送を行う。
【０１４０】
基地局が送信したキャリア・アグリゲーション・モデルを受信した後で、UEは、キャリア・アグリゲーション・モデルに従って基地局とデータ伝送を行うことができる。
【０１４１】
具体的には、基地局が、UEのために、ステップ302に例示したアグリゲーション・キャリア・モデルを構成した後で、UEは、CC1に対応するセルにキャンプオンし、CC1に対応するセルのシステムブロードキャストを読み取り、CC1に対応するセルからページングメッセージなどをさらに受信し、キャリアアグリゲーション技術を用い、CC0、CC1、CC2、CC3、CC4、およびCC5に基づいてネットワークデバイスとデータ伝送を行うことができる。
【０１４２】
304．基地局は、プライマリ・コア・キャリアを変更することを決定する。
【０１４３】
UEが、基地局が送信したキャリア・アグリゲーション・モデルを受信した後で、UEとの通信の信頼性を確実にするために、基地局は、プライマリ・コア・キャリアを変更する必要があるかどうか判定することができ、プライマリ・コア・キャリアを変更する必要があると判定した後で、以下のステップ305からステップ312を行う。
【０１４４】
305．基地局は、セカンダリ・コア・キャリアの中から新しいプライマリ・コア・キャリアを決定する。
【０１４５】
セカンダリ・コア・キャリアは、少なくとも2つのコアキャリアの中のプライマリ・コア・キャリア以外のコアキャリアである。具体的には、プライマリ・コア・キャリアを変更する必要があると判定した後で、基地局は、少なくとも2つのコアキャリアの中のプライマリ・コア・キャリア以外のコアキャリアの中から新しいプライマリ・コア・キャリアを決定することができる。ステップ302の例によれば、基地局は、CC0およびCC5の中から1つのコアキャリアを新しいプライマリ・コア・キャリアとして決定することができる。
【０１４６】
306．基地局は、UEにプライマリ・コア・キャリア変更通知メッセージを送信する。
【０１４７】
プライマリ・コア・キャリア変更通知メッセージは、UEに、プライマリ・コア・キャリアを変更するよう命令するのに用いられる。セカンダリ・コア・キャリアの中から新しいプライマリ・コア・キャリアを決定した後で、基地局は、UEにプライマリ・コア・キャリア変更通知メッセージを送信することができる。
【０１４８】
例えば、ステップ305で基地局が決定した新しいプライマリ・コア・キャリアがCC5である場合、この場合には、基地局は、UEに、CC5の識別子を搬送するプライマリ・コア・キャリア変更通知メッセージを送信することができる。当然ながら、UEのために基地局が構成したキャリア・アグリゲーション・モデルがただ2つのコアキャリア、CC1およびCC5しか含まない場合、基地局がUEに送信するプライマリ・コア・キャリア変更通知メッセージは、決定された新しいプライマリ・コア・キャリア（CC5）の識別子を搬送しない。
【０１４９】
さらに、任意選択で、基地局は、物理層シグナリングまたはMAC層シグナリングを用いてUEにプライマリ・コア・キャリア変更通知メッセージを送信することもできる。
【０１５０】
307．UEは、基地局が送信したプライマリ・コア・キャリア変更通知メッセージを受信する。
【０１５１】
308．UEは、プライマリ・コア・キャリア変更通知メッセージに従ってプライマリ・コア・キャリアを新しいプライマリ・コア・キャリアに変更する。
【０１５２】
基地局が送信したプライマリ・コア・キャリア変更通知メッセージを受信した後で、UEは、プライマリ・コア・キャリア変更通知メッセージに従ってプライマリ・コア・キャリアを新しいプライマリ・コア・キャリアに変更することができる。
【０１５３】
例えば、ステップ306の例によれば、この場合、UEは、受信したプライマリ・コア・キャリア変更通知メッセージで搬送されたCC5の識別子に従ってプライマリ・コア・キャリアをCC1からCC5に変更することができる。変更が完了した後で、UEはCC5に対応するセルにキャンプオンし、CC5に対応するセルからのシステムブロードキャストを読み取り、CC5に対応するセルからページングメッセージなどをさらに受信することができる。
【０１５４】
基地局が、UEのプライマリ・コア・キャリアが正常に変更されたことを知ることができるように、UEが、プライマリ・コア・キャリア変更通知メッセージに従ってプライマリ・コア・キャリアを新しいプライマリ・コア・キャリアに変更するステップ308を行った後で、プライマリ・コア・キャリア変更通知メッセージが専用プリアンブルシーケンスを含まない場合、ステップ309およびステップ310を行うことができ、またはプライマリ・コア・キャリア変更通知メッセージが専用プリアンブルシーケンスを含む場合、ステップ311およびステップ312を行うことができる。
【０１５５】
309．UEはRACH手順をトリガする。
【０１５６】
310．基地局は、UEがトリガしたRACH手順に従って、UEのプライマリ・コア・キャリアが正常に変更されたと判定する。
【０１５７】
311．UEは、専用プリアンブルシーケンスを用い、新しいプライマリ・コア・キャリアに対応する上りキャリアに基づいてRACH手順をトリガする。
【０１５８】
312．基地局は、専用プリアンブルシーケンスに従って、UEのプライマリ・コア・キャリアが正常に変更されたと判定する。
【０１５９】
本発明の本実施形態のステップ301からステップ312までの詳細な説明については、本発明の方法実施形態の対応するステップの他の詳細な説明を参照することができ、本発明の本実施形態では詳細な説明を繰り返さないことに留意されたい。
【０１６０】
本発明の本実施形態で提供されるキャリア構成方法によれば、基地局は、UEがキャリア・アグリゲーション・モデルに従って基地局とデータ伝送を行うように、UEのためのキャリア・アグリゲーション・モデルを構成し、キャリア・アグリゲーション・モデルは複数のコンポーネントキャリアを含み、複数のコンポーネントキャリアは少なくとも1つのコアキャリアを含み、少なくとも1つのコアキャリアは少なくとも1つのプライマリ・コア・キャリアを含む。UEのために少なくとも1つのコアキャリアを含むキャリア・アグリゲーション・モデルを構成することによって、普通のセカンダリ・コンポーネント・キャリアと重要なセカンダリ・コンポーネント・キャリアを区別することができ、重要なセカンダリ・コンポーネント・キャリアもコアキャリアとして使用される。これにより、重要なセカンダリ・コンポーネント・キャリアを管理することが可能になるだけでなく、UEにより多くのコアキャリアの選択肢も提供される。
【０１６１】
加えて、複数のコンポーネントキャリアが少なくとも2つのコアキャリアを含む場合、基地局は、プライマリ・コア・キャリアを変更する必要があると判定した場合、プライマリ・コア・キャリア変更手順を能動的にトリガすることもできる。プライマリ・コンポーネント・キャリアでリンク障害が発生した場合にUEがすべてのリソースを解放し、通信を中断することになる先行技術と比べて、これはUEと基地局との間の通信の安定性を向上させる。
【０１６２】
第2の応用シナリオでは、UEがプライマリ・コア・キャリア変更を能動的にトリガする。図4に示すように、本シナリオのキャリア構成方法は以下のステップを含む。
【０１６３】
401．基地局が、複数のコンポーネントキャリアの中の上り伝送機能および下り伝送機能を有するコンポーネントキャリアをコアキャリアとして決定し、UEのためのキャリア・アグリゲーション・モデルを構成する。
【０１６４】
402．UEは、基地局が送信したキャリア・アグリゲーション・モデルを受信する。
【０１６５】
403．UEは、キャリア・アグリゲーション・モデルに従って基地局とデータ伝送を行う。
【０１６６】
404．UEは、プライマリ・コア・キャリアを変更することを決定する。
【０１６７】
UEが、基地局が送信したキャリア・アグリゲーション・モデルを受信した後で、UEとの通信の信頼性を確実にするために、UEは、プライマリ・コア・キャリアを変更する必要があるかどうか判定することができ、プライマリ・コア・キャリアを変更する必要があると判定した後で、以下のステップ405からステップ411を行う。
【０１６８】
例えば、プライマリ・コア・リンクに障害が発生したと判定した場合、UEは、プライマリ・コア・キャリアを変更する必要があると判定する。例えば、UEのために基地局が構成するキャリア・アグリゲーション・モデルは8つのコンポーネントキャリア、CC0、CC1、CC2、CC3、CC4、CC5、CC6、およびCC7を含む。CC0、CC3、およびCC4はコアキャリアであり、CC0はプライマリ・コア・キャリアである。CC0でリンク障害が発生したと判定した場合、UEは、プライマリ・コア・キャリアを変更する必要があると判定することができる。
【０１６９】
405．UEは、セカンダリ・コア・キャリアの中から新しいプライマリ・コア・キャリアを決定する。
【０１７０】
セカンダリ・コア・キャリアは、少なくとも2つのコアキャリアの中のプライマリ・コア・キャリア以外のコアキャリアである。具体的には、プライマリ・コア・キャリアを変更する必要があると判定した後で、基地局は、少なくとも2つのコアキャリアの中のプライマリ・コア・キャリア以外のコアキャリアの中から新しいプライマリ・コア・キャリアを決定することができる。
【０１７１】
任意選択で、本発明の本実施形態においては、UEが、セカンダリ・コア・キャリアの中から新しいプライマリ・コア・キャリアを決定するステップは、具体的には、UEが、事前設定規則に従ってセカンダリ・コア・キャリアの中から新しいプライマリ・コア・キャリアを決定するステップ、であってよく、事前設定規則は、事前設定順序、セカンダリ・コア・キャリアに基づいて送信される信号の品質、またはセカンダリ・コア・キャリアに対応するセル識別情報のうちの少なくとも1つを含んでいてよい。
【０１７２】
例えば、ステップ404の例によれば、UEは、CC3およびCC4から新しいプライマリ・コア・キャリアを決定することができる。例えば、CC3に基づく信号伝送の信号品質は、CC4に基づく信号伝送の信号品質より良好であり、UEは、CC3を新しいプライマリ・コア・キャリアとして決定することができる。
【０１７３】
セカンダリ・コア・キャリアの中から新しいプライマリ・コア・キャリアを決定した後で、UEは、基地局に、プライマリ・コア・キャリアが変更されたことを通知することができる。1つの可能な実施態様において、具体的な通知プロセスは、以下のステップ406からステップ408を含むことができる。別の可能な実施態様において、具体的な通知プロセスは、以下のステップ409からステップ411を含むことができる。
【０１７４】
406．UEは、新しいプライマリ・コア・キャリアに対応する上りキャリアに基づいて、RACH手順をトリガする。
【０１７５】
407．基地局は、新しいプライマリ・コア・キャリアに対応する上りキャリアに基づいてUEがトリガしたRACH手順を受信する。
【０１７６】
408．基地局は、RACH手順に従って、プライマリ・コア・キャリアが変更されたと判定する。
【０１７７】
409．UEは、基地局に上りメッセージを送信する。
【０１７８】
上りメッセージは、基地局に、プライマリ・コア・キャリアが変更されたことを通知するのに用いられる。
【０１７９】
具体的には、UEが、基地局に上りメッセージを送信するステップは、以下の409a1からステップ409a4を含むことができる。
【０１８０】
409a1．UEは、SR機能をサポートしている1つのセカンダリ・コア・キャリアに基づいて、基地局にSRを送信する。
【０１８１】
セカンダリ・コア・キャリアは、現在のプライマリ・コア・キャリア以外のコアキャリアである。例えば、ステップ404の例によれば、UEは、CC3およびCC4の中からSR機能をサポートしている1つのセカンダリ・コア・キャリアを選択することができ、例えば、CC4はSR機能をサポートしており、UEは、CC4に基づいて、上り送信許可要求をトリガするために基地局にSRを送信する。
【０１８２】
409a2．基地局はUEに上りリソースを割り振る。
【０１８３】
UEが、SR機能をサポートしている1つのセカンダリ・コア・キャリアに基づいて、基地局にSRを送信した後で、基地局は、受信したSRに従ってUEに、UEが上りメッセージを送信するための上りリソースを割り振ることができる。
【０１８４】
409a3．UEは、基地局がUEに割り振った上りリソースを受信する。
【０１８５】
409a4．UEは、上りリソースを用いて基地局に上りメッセージを送信する。
【０１８６】
410．基地局は、UEが送信した上りメッセージを受信する。
【０１８７】
411．基地局は、上りメッセージに従って、プライマリ・コア・キャリアが変更されたと判定する。
【０１８８】
本発明の本実施形態のステップ401からステップ411までの詳細な説明については、本発明の方法実施形態の対応するステップの他の詳細な説明を参照することができ、本発明の本実施形態では詳細な説明を繰り返さないことに留意されたい。
【０１８９】
本発明の本実施形態で提供されるキャリア構成方法によれば、基地局は、UEがキャリア・アグリゲーション・モデルに従って基地局とデータ伝送を行うように、UEのためのキャリア・アグリゲーション・モデルを構成し、キャリア・アグリゲーション・モデルは複数のコンポーネントキャリアを含み、複数のコンポーネントキャリアは少なくとも1つのコアキャリアを含み、少なくとも1つのコアキャリアは少なくとも1つのプライマリ・コア・キャリアを含む。UEのために少なくとも1つのコアキャリアを含むキャリア・アグリゲーション・モデルを構成することによって、普通のセカンダリ・コンポーネント・キャリアと重要なセカンダリ・コンポーネント・キャリアを区別することができ、重要なセカンダリ・コンポーネント・キャリアもコアキャリアとして使用される。これにより、重要なセカンダリ・コンポーネント・キャリアを管理することが可能になるだけでなく、UEにより多くのコアキャリアの選択肢も提供される。
【０１９０】
加えて、複数のコンポーネントキャリアが少なくとも2つのコアキャリアを含む場合、UEは、プライマリ・コア・キャリアを変更する必要があると判定した場合、プライマリ・コア・キャリア変更手順を能動的にトリガすることもできる。プライマリ・コンポーネント・キャリアでリンク障害が発生した場合にUEがすべてのリソースを解放し、通信を中断することになる先行技術と比べて、これはUEと基地局との間の通信の安定性を向上させる。
【０１９１】
本発明の別の実施形態はネットワークデバイスを提供する。図5に示すように、本ネットワークデバイスは構成部51を含む。
【０１９２】
構成部51は、ユーザ機器UEがキャリア・アグリゲーション・モデルに従ってネットワークデバイスとのデータ伝送を行うように、UEのためのキャリア・アグリゲーション・モデルを構成するように構成されている。
【０１９３】
キャリア・アグリゲーション・モデルは複数のコンポーネントキャリアを含み、複数のコンポーネントキャリアは少なくとも1つのコアキャリアを含み、少なくとも1つのコアキャリアは少なくとも1つのプライマリ・コア・キャリアを含み、コアキャリアは、上り伝送機能および下り伝送機能を有し、上り伝送機能は、下りデータに対応する上りフィードバック機能、下りチャネル状態フィードバック機能、または上りデータ伝送機能、のうちの少なくとも1つを含み、下り伝送機能は、上りデータに対応する下りフィードバック機能、上りチャネル状態フィードバック機能、または下りデータ伝送機能、のうちの少なくとも1つを含み、プライマリ・コア・キャリアは、システムメッセージ伝達機能、ページングメッセージ伝達機能、半静的スケジューリングパラメータ構成機能、キャンピング参照機能、または暗号化参照機能、のうちの少なくとも1つの機能を有する。
【０１９４】
本発明の本実施形態では、さらに、図6に示すように、本ネットワークデバイスは、決定部52をさらに含んでいてよい。
【０１９５】
決定部52は、構成部51がユーザ機器UEのためのキャリア・アグリゲーション・モデルを構成する前に、複数のコンポーネントキャリアの中の上り伝送機能および下り伝送機能を有するコンポーネントキャリアをコアキャリアとして決定する、ように構成されている。
【０１９６】
本発明の本実施形態では、さらに、複数のコンポーネントキャリアが少なくとも2つのコアキャリアを含む場合、
決定部52は、構成部51がユーザ機器UEのためのキャリア・アグリゲーション・モデルを構成した後で、プライマリ・コア・キャリアを変更することを決定し、少なくとも2つのコアキャリアの中のプライマリ・コア・キャリア以外のコアキャリアであるセカンダリ・コア・キャリアの中から新しいプライマリ・コア・キャリアを決定する、ようにさらに構成されている。
【０１９７】
図7に示すように、本ネットワークデバイスは送信部53をさらに含んでいてよい。
【０１９８】
送信部53は、UEがプライマリ・コア・キャリアを新しいプライマリ・コア・キャリアに変更するように、UEにプライマリ・コア・キャリア変更通知メッセージを送信するように構成されており、プライマリ・コア・キャリア変更通知メッセージはUEにプライマリ・コア・キャリアを変更するよう命令するのに用いられる。
【０１９９】
本発明の本実施形態では、さらに、送信部53は、物理層シグナリングまたは媒体アクセス制御MAC層シグナリングを用いてUEにプライマリ・コア・キャリア変更通知メッセージを送信する、ように特に構成されている。
【０２００】
本発明の本実施形態では、さらに、決定部52は、送信部53がUEにプライマリ・コア・キャリア変更通知メッセージを送信した後で、UEがトリガしたランダム・アクセス・チャネルRACH手順に従って、UEのプライマリ・コア・キャリアが正常に変更されたと判定する、ようにさらに構成されている。
【０２０１】
本発明の本実施形態では、さらに、プライマリ・コア・キャリア変更通知メッセージは専用プリアンブルシーケンスを含む。
【０２０２】
本発明の本実施形態では、さらに、決定部52は、送信部53がUEにプライマリ・コア・キャリア変更通知メッセージを送信した後で、専用プリアンブルシーケンスを用い、新しいプライマリ・コア・キャリアに対応する上りキャリアに基づいてUEがトリガしたRACH手順に従って、UEのプライマリ・コア・キャリアが正常に変更されたと判定する、ようにさらに構成されている。
【０２０３】
本発明の本実施形態では、さらに、複数のコンポーネントキャリアが少なくとも2つのコアキャリアを含む場合、図8に示すように、本ネットワークデバイスは、受信部54をさらに含んでいてよい。
【０２０４】
受信部54は、構成部51がユーザ機器UEのためのキャリア・アグリゲーション・モデルを構成した後で、UEのプライマリ・コア・キャリアが変更されたという通知を受信する、ように構成されている。
【０２０５】
本発明の本実施形態では、さらに、受信部54は、新しいプライマリ・コア・キャリアに対応する上りキャリアに基づいてUEがトリガしたRACH手順を受信する、ように特に構成されている。
【０２０６】
決定部52は、受信部54が、UEのプライマリ・コア・キャリアが変更されたという通知を受信した後で、RACH手順に従って、プライマリ・コア・キャリアが変更されたと判定する、ようにさらに構成されている。
【０２０７】
本発明の本実施形態では、さらに、受信部54は、ネットワークデバイスにプライマリ・コア・キャリアが変更されたことを通知するのに用いられる、UEが送信した上りメッセージを受信する、ように特に構成されている。
【０２０８】
決定部52は、受信部54が、UEのプライマリ・コア・キャリアが変更されたという通知を受信した後で、受信部54が受信した上りメッセージに従って、プライマリ・コア・キャリアが変更されたと判定する、ようにさらに構成されている。
【０２０９】
本発明の本実施形態では、さらに、受信部54は、スケジューリング要求SR機能をサポートしている1つのセカンダリ・コア・キャリアに基づいてUEが送信したSRを受信し、UEに上りリソースを割り振り、上りリソースを用いてUEが送信した上りメッセージを受信する、ように特に構成されている。
【０２１０】
本発明の本実施形態では、さらに、複数のコンポーネントキャリアが少なくとも2つのコアキャリアを含む場合、構成部51は、ユーザ機器UEのためのキャリア・アグリゲーション・モデルを構成した後で、UEの測定イベントを構成する、ようにさらに構成されており、測定イベントは、近隣のセルの信号品質または信号強度がコアキャリアのいずれか1つに対応するセルの信号品質または信号強度より大きい場合、UEに、ネットワークデバイスに測定報告を報告するよう命令するのに用いられる。
【０２１１】
本発明の本実施形態で提供されるネットワークデバイスの各機能モジュールの具体的な動作プロセスについては、方法実施形態の対応するプロセスの詳細な説明を参照することができ、本発明の本実施形態では詳細な説明を繰り返さないことに留意されたい。
【０２１２】
本発明の本実施形態で提供されるネットワークデバイスは、UEがキャリア・アグリゲーション・モデルに従ってネットワークデバイスとデータ伝送を行うように、UEのためのキャリア・アグリゲーション・モデルを構成し、キャリア・アグリゲーション・モデルは複数のコンポーネントキャリアを含み、複数のコンポーネントキャリアは少なくとも1つのコアキャリアを含み、少なくとも1つのコアキャリアは少なくとも1つのプライマリ・コア・キャリアを含む。UEのために少なくとも1つのコアキャリアを含むキャリア・アグリゲーション・モデルを構成することによって、普通のセカンダリ・コンポーネント・キャリアと重要なセカンダリ・コンポーネント・キャリアを区別することができ、重要なセカンダリ・コンポーネント・キャリアもコアキャリアとして使用される。これにより、重要なセカンダリ・コンポーネント・キャリアを管理することが可能になるだけでなく、UEにより多くのコアキャリアの選択肢も提供される。
【０２１３】
加えて、複数のコンポーネントキャリアが少なくとも2つのコアキャリアを含む場合、基地局は、プライマリ・コア・キャリアを変更する必要があると判定した場合、プライマリ・コア・キャリア変更手順を能動的にトリガすることもできる。プライマリ・コンポーネント・キャリアでリンク障害が発生した場合にUEがすべてのリソースを解放し、通信を中断することになる先行技術と比べて、これはUEと基地局との間の通信の安定性を向上させる。
【０２１４】
本発明の別の実施形態はユーザ機器を提供する。図9に示すように、本ユーザ機器は、受信部61と、送信部62とを含む。
【０２１５】
受信部61は、ネットワークデバイスが送信したキャリア・アグリゲーション・モデルを受信するように構成されている。
【０２１６】
送信部62は、受信部61が受信したキャリア・アグリゲーション・モデルに従ってネットワークデバイスとデータ伝送を行うように構成されている。
【０２１７】
キャリア・アグリゲーション・モデルは複数のコンポーネントキャリアを含み、複数のコンポーネントキャリアは少なくとも1つのコアキャリアを含み、少なくとも1つのコアキャリアは少なくとも1つのプライマリ・コア・キャリアを含み、コアキャリアは、上り伝送機能および下り伝送機能を有し、上り伝送機能は、下りデータに対応する上りフィードバック機能、下りチャネル状態フィードバック機能、または上りデータ伝送機能、のうちの少なくとも1つを含み、下り伝送機能は、上りデータに対応する下りフィードバック機能、上りチャネル状態フィードバック機能、または下りデータ伝送機能、のうちの少なくとも1つを含み、プライマリ・コア・キャリアは、システムメッセージ伝達機能、ページングメッセージ伝達機能、半静的スケジューリングパラメータ構成機能、キャンピング参照機能、または暗号化参照機能、のうちの少なくとも1つの機能を有する。
【０２１８】
本発明の本実施形態では、さらに、複数のコンポーネントキャリアが少なくとも2つのコアキャリアを含む場合、受信部61は、ネットワークデバイスが送信したキャリア・アグリゲーション・モデルを受信した後で、ネットワークデバイスが送信したプライマリ・コア・キャリア変更通知メッセージを受信する、ようにさらに構成されている。
【０２１９】
図10に示すように、本ユーザ機器は、変更部63をさらに含んでいてよい。
【０２２０】
変更部63は、受信部61が受信したプライマリ・コア・キャリア変更通知メッセージに従って、プライマリ・コア・キャリアを新しいプライマリ・コア・キャリアに変更するように構成されている。
【０２２１】
本発明の本実施形態では、さらに、本ユーザ機器は、トリガ部64をさらに含んでいてよい。
【０２２２】
トリガ部64は、変更部63が、プライマリ・コア・キャリア変更通知メッセージに従ってプライマリ・コア・キャリアを新しいプライマリ・コア・キャリアに変更した後で、ネットワークデバイスが、ランダム・アクセス・チャネルRACH手順に従って、プライマリ・コア・キャリアが正常に変更されたと判定するように、RACH手順をトリガする、ように構成されている。
【０２２３】
本発明の本実施形態では、さらに、プライマリ・コア・キャリア変更通知メッセージは専用プリアンブルシーケンスを含む。
【０２２４】
トリガ部64は、変更部63が、プライマリ・コア・キャリア変更通知メッセージに従ってプライマリ・コア・キャリアを新しいプライマリ・コア・キャリアに変更した後で、ネットワークデバイスが、専用プリアンブルシーケンスに従って、プライマリ・コア・キャリアが正常に変更されたと判定するように、専用プリアンブルシーケンスを用い、新しいプライマリ・コア・キャリアに対応する上りキャリアに基づいてRACH手順をトリガする、ようにさらに構成されている。
【０２２５】
本発明の本実施形態では、さらに、複数のコンポーネントキャリアが少なくとも2つのコアキャリアを含む場合、図11に示すように、本ユーザ機器は、決定部65と、通知部66とをさらに含んでいてよい。
【０２２６】
決定部65は、受信部61が、ネットワークデバイスが送信したキャリア・アグリゲーション・モデルを受信した後で、プライマリ・コア・キャリアを変更することを決定し、少なくとも2つのコアキャリアの中のプライマリ・コア・キャリア以外のコアキャリアであるセカンダリ・コア・キャリアの中から新しいプライマリ・コア・キャリアを決定する、ように構成されている。
【０２２７】
通知部66は、ネットワークデバイスに、プライマリ・コア・キャリアが変更されたことを通知する、ように構成されている。
【０２２８】
本発明の本実施形態では、さらに、通知部66は、ネットワークデバイスが、RACH手順に従って、プライマリ・コア・キャリアが変更されたと判定するように、新しいプライマリ・コア・キャリアに対応する上りキャリアに基づいて、RACH手順をトリガする、ように特に構成されている。
【０２２９】
本発明の本実施形態では、さらに、通知部66は、ネットワークデバイスが、ネットワークデバイスにプライマリ・コア・キャリアが変更されたことを通知するのに用いられる上りメッセージに従って、プライマリ・コア・キャリアが変更されたと判定するように、ネットワークデバイスに上りメッセージを送信する、ように特に構成されている。
【０２３０】
本発明の本実施形態では、さらに、通知部66は、スケジューリング要求SR機能をサポートしている1つのセカンダリ・コア・キャリアに基づいて、ネットワークデバイスにSRを送信し、ネットワークデバイスがUEに割り振った上りリソースを受信し、上りリソースを用いてネットワークデバイスに上りメッセージを送信する、ように特に構成されている。
【０２３１】
本発明の本実施形態では、さらに、決定部65は、プライマリ・コア・リンクに障害が発生したと判定したときに、プライマリ・コア・キャリアを変更することを決定する、ように特に構成されている。
【０２３２】
本発明の本実施形態では、さらに、決定部65は、事前設定規則に従ってセカンダリ・コア・キャリアの中から新しいプライマリ・コア・キャリアを決定する、ように特に構成されている。
【０２３３】
事前設定規則は、事前設定順序、セカンダリ・コア・キャリアに基づいて送信される信号の品質、またはセカンダリ・コア・キャリアに対応するセル識別情報のうちの少なくとも1つを含む。
【０２３４】
本発明の本実施形態では、さらに、複数のコンポーネントキャリアが少なくとも2つのコアキャリアを含む場合、受信部61は、ネットワークデバイスが送信したキャリア・アグリゲーション・モデルを受信した後で、ネットワークデバイスが送信した測定イベントを受信する、ようにさらに構成されている。
【０２３５】
決定部65は、近隣のセルの信号品質または信号強度がコアキャリアのいずれか1つに対応するセルの信号品質または信号強度より大きい場合、受信部61が受信した測定イベントに従って、ネットワークデバイスに測定報告を報告することを決定する、ようにさらに構成されている。
【０２３６】
本発明の本実施形態で提供されるユーザ機器の各機能モジュールの具体的な動作プロセスについては、方法実施形態の対応するプロセスの具体的な説明を参照することができ、本発明の本実施形態では詳細な説明を繰り返さないことに留意されたい。
【０２３７】
本発明の本実施形態で提供されるUEは、ネットワークデバイスが送信したキャリア・アグリゲーション・モデルを受信し、キャリア・アグリゲーション・モデルに従ってネットワークデバイスとデータ伝送を行い、キャリア・アグリゲーション・モデルは複数のコンポーネントキャリアを含み、複数のコンポーネントキャリアは少なくとも1つのコアキャリアを含み、少なくとも1つのコアキャリアは少なくとも1つのプライマリ・コア・キャリアを含む。UEのために少なくとも1つのコアキャリアを含むキャリア・アグリゲーション・モデルを構成することによって、普通のセカンダリ・コンポーネント・キャリアと重要なセカンダリ・コンポーネント・キャリアを区別することができ、重要なセカンダリ・コンポーネント・キャリアもコアキャリアとして使用される。これにより、重要なセカンダリ・コンポーネント・キャリアを管理することが可能になるだけでなく、UEにより多くのコアキャリアの選択肢も提供される。
【０２３８】
加えて、複数のコンポーネントキャリアが少なくとも2つのコアキャリアを含む場合、基地局は、プライマリ・コア・キャリアを変更する必要があると判定した場合、プライマリ・コア・キャリア変更手順を能動的にトリガすることもできる。プライマリ・コンポーネント・キャリアでリンク障害が発生した場合にUEがすべてのリソースを解放し、通信を中断することになる先行技術と比べて、これはUEと基地局との間の通信の安定性を向上させる。
【０２３９】
本発明の別の実施形態はネットワークデバイスを提供する。図12に示すように、本ネットワークデバイスはプロセッサ71を含む。
【０２４０】
プロセッサ71は、ユーザ機器UEがキャリア・アグリゲーション・モデルに従ってネットワークデバイスとのデータ伝送を行うように、UEのためのキャリア・アグリゲーション・モデルを構成するように構成される。
【０２４１】
キャリア・アグリゲーション・モデルは複数のコンポーネントキャリアを含み、複数のコンポーネントキャリアは少なくとも1つのコアキャリアを含み、少なくとも1つのコアキャリアは少なくとも1つのプライマリ・コア・キャリアを含み、コアキャリアは、上り伝送機能および下り伝送機能を有し、上り伝送機能は、下りデータに対応する上りフィードバック機能、下りチャネル状態フィードバック機能、または上りデータ伝送機能、のうちの少なくとも1つを含み、下り伝送機能は、上りデータに対応する下りフィードバック機能、上りチャネル状態フィードバック機能、または下りデータ伝送機能、のうちの少なくとも1つを含み、プライマリ・コア・キャリアは、システムメッセージ伝達機能、ページングメッセージ伝達機能、半静的スケジューリングパラメータ構成機能、キャンピング参照機能、または暗号化参照機能、のうちの少なくとも1つの機能を有する。
【０２４２】
本発明の本実施形態では、さらに、プロセッサ71は、ユーザ機器UEのためのキャリア・アグリゲーション・モデルを構成する前に、複数のコンポーネントキャリアの中の上り伝送機能および下り伝送機能を有するコンポーネントキャリアをコアキャリアとして決定する、ようにさらに構成される。
【０２４３】
本発明の本実施形態では、さらに、複数のコンポーネントキャリアが少なくとも2つのコアキャリアを含む場合、プロセッサ71は、ユーザ機器UEのためのキャリア・アグリゲーション・モデルを構成した後で、プライマリ・コア・キャリアを変更することを決定し、少なくとも2つのコアキャリアの中のプライマリ・コア・キャリア以外のコアキャリアであるセカンダリ・コア・キャリアの中から新しいプライマリ・コア・キャリアを決定する、ようにさらに構成される。
【０２４４】
本ネットワークデバイスは、送信機72をさらに含んでいてよい。
【０２４５】
送信機72は、UEがプライマリ・コア・キャリアを新しいプライマリ・コア・キャリアに変更するように、UEにプライマリ・コア・キャリア変更通知メッセージを送信するように構成され、プライマリ・コア・キャリア変更通知メッセージはUEにプライマリ・コア・キャリアを変更するよう命令するのに用いられる。
【０２４６】
本発明の本実施形態では、さらに、送信機72は、物理層シグナリングまたは媒体アクセス制御MAC層シグナリングを用いてUEにプライマリ・コア・キャリア変更通知メッセージを送信する、ように特に構成される。
【０２４７】
本発明の本実施形態では、さらに、プロセッサ71は、送信機72がUEにプライマリ・コア・キャリア変更通知メッセージを送信した後で、UEがトリガしたランダム・アクセス・チャネルRACH手順に従って、UEのプライマリ・コア・キャリアが正常に変更されたと判定する、ようにさらに構成される。
【０２４８】
本発明の本実施形態では、さらに、プライマリ・コア・キャリア変更通知メッセージは専用プリアンブルシーケンスを含む。
【０２４９】
本発明の本実施形態では、さらに、プロセッサ71は、送信機72がUEにプライマリ・コア・キャリア変更通知メッセージを送信した後で、専用プリアンブルシーケンスを用い、新しいプライマリ・コア・キャリアに対応する上りキャリアに基づいてUEがトリガしたRACH手順に従って、UEのプライマリ・コア・キャリアが正常に変更されたと判定する、ようにさらに構成される。
【０２５０】
本発明の本実施形態では、さらに、複数のコンポーネントキャリアが少なくとも2つのコアキャリアを含む場合、本ネットワークデバイスは、受信機73をさらに含んでいてよい。
【０２５１】
受信機73は、プロセッサ71がユーザ機器UEのためのキャリア・アグリゲーション・モデルを構成した後で、UEのプライマリ・コア・キャリアが変更されたという通知を受信する、ように構成される。
【０２５２】
本発明の本実施形態では、さらに、受信機73は、新しいプライマリ・コア・キャリアに対応する上りキャリアに基づいてUEがトリガしたRACH手順を受信する、ように特に構成される。
【０２５３】
プロセッサ71は、受信機73が、UEのプライマリ・コア・キャリアが変更されたという通知を受信した後で、RACH手順に従って、プライマリ・コア・キャリアが変更されたと判定する、ようにさらに構成される。
【０２５４】
本発明の本実施形態では、さらに、受信機73は、ネットワークデバイスにプライマリ・コア・キャリアが変更されたことを通知するのに用いられる、UEが送信した上りメッセージを受信する、ように特に構成される。
【０２５５】
プロセッサ71は、受信機73が、UEのプライマリ・コア・キャリアが変更されたという通知を受信した後で、受信機73が受信した上りメッセージに従って、プライマリ・コア・キャリアが変更されたと判定する、ようにさらに構成される。
【０２５６】
本発明の本実施形態では、さらに、受信機73は、スケジューリング要求SR機能をサポートしている1つのセカンダリ・コア・キャリアに基づいてUEが送信したSRを受信し、UEに上りリソースを割り振り、上りリソースを用いてUEが送信した上りメッセージを受信する、ように特に構成される。
【０２５７】
本発明の本実施形態では、さらに、複数のコンポーネントキャリアが少なくとも2つのコアキャリアを含む場合、プロセッサ71は、ユーザ機器UEのためのキャリア・アグリゲーション・モデルを構成した後で、UEの測定イベントを構成する、ようにさらに構成され、測定イベントは、近隣のセルの信号品質または信号強度がコアキャリアのいずれか1つに対応するセルの信号品質または信号強度より大きい場合、UEに、ネットワークデバイスに測定報告を報告するよう命令するのに用いられる。
【０２５８】
本発明の本実施形態で提供されるネットワークデバイスの各機能モジュールの具体的な動作プロセスについては、方法実施形態の対応するプロセスの詳細な説明を参照することができ、本発明の本実施形態では詳細な説明を繰り返さないことに留意されたい。
【０２５９】
本発明の本実施形態で提供されるネットワークデバイスは、UEがキャリア・アグリゲーション・モデルに従ってネットワークデバイスとデータ伝送を行うように、UEのためのキャリア・アグリゲーション・モデルを構成し、キャリア・アグリゲーション・モデルは複数のコンポーネントキャリアを含み、複数のコンポーネントキャリアは少なくとも1つのコアキャリアを含み、少なくとも1つのコアキャリアは少なくとも1つのプライマリ・コア・キャリアを含む。UEのために少なくとも1つのコアキャリアを含むキャリア・アグリゲーション・モデルを構成することによって、普通のセカンダリ・コンポーネント・キャリアと重要なセカンダリ・コンポーネント・キャリアを区別することができ、重要なセカンダリ・コンポーネント・キャリアもコアキャリアとして使用される。これにより、重要なセカンダリ・コンポーネント・キャリアを管理することが可能になるだけでなく、UEにより多くのコアキャリアの選択肢も提供される。
【０２６０】
加えて、複数のコンポーネントキャリアが少なくとも2つのコアキャリアを含む場合、基地局は、プライマリ・コア・キャリアを変更する必要があると判定した場合、プライマリ・コア・キャリア変更手順を能動的にトリガすることもできる。プライマリ・コンポーネント・キャリアでリンク障害が発生した場合にUEがすべてのリソースを解放し、通信を中断することになる先行技術と比べて、これはUEと基地局との間の通信の安定性を向上させる。
【０２６１】
本発明の別の実施形態はユーザ機器を提供する。図13に示すように、本ユーザ機器は、受信機81と、送信機82とを含む。
【０２６２】
受信機81は、ネットワークデバイスが送信したキャリア・アグリゲーション・モデルを受信するように構成される。
【０２６３】
送信機82は、受信機81が受信したキャリア・アグリゲーション・モデルに従ってネットワークデバイスとデータ伝送を行うように構成される。
【０２６４】
キャリア・アグリゲーション・モデルは複数のコンポーネントキャリアを含み、複数のコンポーネントキャリアは少なくとも1つのコアキャリアを含み、少なくとも1つのコアキャリアは少なくとも1つのプライマリ・コア・キャリアを含み、コアキャリアは、上り伝送機能および下り伝送機能を有し、上り伝送機能は、下りデータに対応する上りフィードバック機能、下りチャネル状態フィードバック機能、または上りデータ伝送機能、のうちの少なくとも1つを含み、下り伝送機能は、上りデータに対応する下りフィードバック機能、上りチャネル状態フィードバック機能、または下りデータ伝送機能、のうちの少なくとも1つを含み、プライマリ・コア・キャリアは、システムメッセージ伝達機能、ページングメッセージ伝達機能、半静的スケジューリングパラメータ構成機能、キャンピング参照機能、または暗号化参照機能、のうちの少なくとも1つの機能を有する。
【０２６５】
本発明の本実施形態では、さらに、複数のコンポーネントキャリアが少なくとも2つのコアキャリアを含む場合、受信機81は、ネットワークデバイスが送信したキャリア・アグリゲーション・モデルを受信した後で、ネットワークデバイスが送信したプライマリ・コア・キャリア変更通知メッセージを受信する、ようにさらに構成される。
【０２６６】
本ユーザ機器は、プロセッサ83をさらに含んでいてよい。
【０２６７】
プロセッサ83は、受信機81が受信したプライマリ・コア・キャリア変更通知メッセージに従って、プライマリ・コア・キャリアを新しいプライマリ・コア・キャリアに変更するように構成される。
【０２６８】
本発明の本実施形態では、さらに、プロセッサ83は、プライマリ・コア・キャリア変更通知メッセージに従ってプライマリ・コア・キャリアを新しいプライマリ・コア・キャリアに変更した後で、ネットワークデバイスが、ランダム・アクセス・チャネルRACH手順に従って、プライマリ・コア・キャリアが正常に変更されたと判定するように、RACH手順をトリガする、ようにさらに構成される。
【０２６９】
本発明の本実施形態では、さらに、プライマリ・コア・キャリア変更通知メッセージは専用プリアンブルシーケンスを含む。
【０２７０】
プロセッサ83は、プライマリ・コア・キャリア変更通知メッセージに従ってプライマリ・コア・キャリアを新しいプライマリ・コア・キャリアに変更した後で、ネットワークデバイスが、専用プリアンブルシーケンスに従って、プライマリ・コア・キャリアが正常に変更されたと判定するように、専用プリアンブルシーケンスを用い、新しいプライマリ・コア・キャリアに対応する上りキャリアに基づいてRACH手順をトリガする、ようにさらに構成される。
【０２７１】
本発明の本実施形態では、さらに、複数のコンポーネントキャリアが少なくとも2つのコアキャリアを含む場合、プロセッサ83は、受信機81が、ネットワークデバイスが送信したキャリア・アグリゲーション・モデルを受信した後で、プライマリ・コア・キャリアを変更することを決定し、少なくとも2つのコアキャリアの中のプライマリ・コア・キャリア以外のコアキャリアであるセカンダリ・コア・キャリアの中から新しいプライマリ・コア・キャリアを決定する、ようにさらに構成される。
【０２７２】
送信機82は、ネットワークデバイスに、プライマリ・コア・キャリアが変更されたことを通知する、ようにさらに構成される。
【０２７３】
本発明の本実施形態では、さらに、送信機82は、ネットワークデバイスが、RACH手順に従って、プライマリ・コア・キャリアが変更されたと判定するように、新しいプライマリ・コア・キャリアに対応する上りキャリアに基づいて、RACH手順をトリガする、ように特に構成される。
【０２７４】
本発明の本実施形態では、さらに、送信機82は、ネットワークデバイスが、ネットワークデバイスにプライマリ・コア・キャリアが変更されたことを通知するのに用いられる上りメッセージに従って、プライマリ・コア・キャリアが変更されたと判定するように、ネットワークデバイスに上りメッセージを送信する、ように特に構成される。
【０２７５】
本発明の本実施形態では、さらに、送信機82は、スケジューリング要求SR機能をサポートしている1つのセカンダリ・コア・キャリアに基づいて、ネットワークデバイスにSRを送信し、ネットワークデバイスがUEに割り振った上りリソースを受信し、上りリソースを用いてネットワークデバイスに上りメッセージを送信する、ように特に構成される。
【０２７６】
本発明の本実施形態では、さらに、プロセッサ83は、プライマリ・コア・リンクに障害が発生したと判定したときに、プライマリ・コア・キャリアを変更することを決定する、ように特に構成される。
【０２７７】
本発明の本実施形態では、さらに、プロセッサ83は、事前設定規則に従ってセカンダリ・コア・キャリアの中から新しいプライマリ・コア・キャリアを決定する、ように特に構成される。
【０２７８】
事前設定規則は、事前設定順序、セカンダリ・コア・キャリアに基づいて送信される信号の品質、またはセカンダリ・コア・キャリアに対応するセル識別情報のうちの少なくとも1つを含む。
【０２７９】
本発明の本実施形態では、さらに、複数のコンポーネントキャリアが少なくとも2つのコアキャリアを含む場合、受信機81は、ネットワークデバイスが送信したキャリア・アグリゲーション・モデルを受信した後で、ネットワークデバイスが送信した測定イベントを受信する、ようにさらに構成される。
【０２８０】
プロセッサ83は、近隣のセルの信号品質または信号強度がコアキャリアのいずれか1つに対応するセルの信号品質または信号強度より大きい場合、受信装置81が受信した測定イベントに従って、ネットワークデバイスに測定報告を報告することを決定する、ようにさらに構成される。
【０２８１】
本発明の本実施形態で提供されるユーザ機器の各機能モジュールの具体的な動作プロセスについては、方法実施形態の対応するプロセスの具体的な説明を参照することができ、本発明の本実施形態では詳細な説明を繰り返さないことに留意されたい。
【０２８２】
本発明の本実施形態で提供されるUEは、ネットワークデバイスが送信したキャリア・アグリゲーション・モデルを受信し、キャリア・アグリゲーション・モデルに従ってネットワークデバイスとデータ伝送を行い、キャリア・アグリゲーション・モデルは複数のコンポーネントキャリアを含み、複数のコンポーネントキャリアは少なくとも1つのコアキャリアを含み、少なくとも1つのコアキャリアは少なくとも1つのプライマリ・コア・キャリアを含む。UEのために少なくとも1つのコアキャリアを含むキャリア・アグリゲーション・モデルを構成することによって、普通のセカンダリ・コンポーネント・キャリアと重要なセカンダリ・コンポーネント・キャリアを区別することができ、重要なセカンダリ・コンポーネント・キャリアもコアキャリアとして使用される。これにより、重要なセカンダリ・コンポーネント・キャリアを管理することが可能になるだけでなく、UEにより多くのコアキャリアの選択肢も提供される。
【０２８３】
加えて、複数のコンポーネントキャリアが少なくとも2つのコアキャリアを含む場合、基地局は、プライマリ・コア・キャリアを変更する必要があると判定した場合、プライマリ・コア・キャリア変更手順を能動的にトリガすることもできる。プライマリ・コンポーネント・キャリアでリンク障害が発生した場合にUEがすべてのリソースを解放し、通信を中断することになる先行技術と比べて、これはUEと基地局との間の通信の安定性を向上させる。
【０２８４】
前述の実施態様の説明を読めば、当業者は、前述の機能モジュールの分割が、説明を簡便にすることを目的として、例示のために用いられていることを理解することができる。実際の応用においては、前述の各機能を異なるモジュールに割り振り、必要に応じて実装することができ、すなわち、装置の内部構造が上述の各機能の全部または一部を実装するために異なる機能モジュールに分割される。
【０２８５】
本出願で提供されるいくつかの実施形態においては、開示の装置および方法を他のやり方で実現することもできることを理解すべきである。例えば、説明した装置実施形態は単なる例にすぎない。例えば、モジュールまたはユニットの分割は単なる論理的機能分割にすぎず、実際の実装に際しては他の分割も可能である。例えば、複数のユニットまたはコンポーネントを組み合わせ、または統合して別の装置にすることもでき、ある機能が無視され、または実行されない場合もある。加えて、図示し、または説明した相互結合または直接結合または通信接続を、いくつかのインターフェース、装置またはユニットを介した間接結合または通信接続とすることもでき、電気的接続、機械的接続、または他の形態の接続とすることもできる。
【０２８６】
別々の部分として記述されたユニットは、物理的に分離している場合も分離していない場合もある。ユニットとして図示された部分は1つまたは複数の物理ユニットであってよく、一箇所に位置していても、異なる位置に分散されていてもよい。ユニットの一部または全部を、各実施形態の解決策の目的を達成するための実際の必要に従って選択することもできる。
【０２８７】
加えて、本発明の各実施形態における機能ユニットは1つの処理ユニットに統合されていてもよく、ユニットの各々が物理的に独立して存在していてもよく、または2つ以上のユニットは1つのユニットに統合される。統合ユニットはハードウェアの形態で実現されてもよく、ソフトウェア機能ユニットの形態で実現されてもよい。
【０２８８】
統合ユニットがソフトウェア機能ユニットの形態で実現され、独立した製品として販売され、または使用される場合に、その統合ユニットは可読記憶媒体に記憶されていてよい。そうした理解に基づき、本発明の技術解決策を本質的に、または先行技術に寄与する部分を、または技術解決策の全部もしくは一部を、ソフトウェア製品の形態で実現することができる。ソフトウェア製品は記憶媒体に記憶されており、（シングルチップマイクロコンピュータやチップなどとすることができる）デバイスまたはプロセッサ（processor）に、本発明の各実施形態で記述されている方法のステップの全部または一部を実行するよう命令するためのいくつかの命令を含む。前述の記憶媒体は、USBフラッシュドライブ、リムーバブル・ハード・ディスク、読取り専用メモリ（英語：Read−Only Memory、略称：ROM）、ランダム・アクセス・メモリ（英語：Random Access Memory、略称：RAM）、磁気ディスク、光ディスクといった、プログラムコードを記憶することができる任意の媒体を含む。
【０２８９】
以上の説明は、単に、本発明の具体的実施態様であるにすぎず、本発明の保護範囲を限定するためのものではない。本発明で開示される技術範囲内で当業者によって容易に考案されるいかなる変形も置換も、本発明の保護範囲内に含まれるものとする。したがって、本発明の保護範囲は、特許請求の範囲の保護範囲に従うべきものとする。
【符号の説明】
【０２９０】
51  構成部
52  決定部
53  送信部
54  受信部
61  受信部
62  送信部
63  変更部
64  トリガ部
65  決定部
66  通知部
71  プロセッサ
72  送信機
73  受信機
81  受信機
82  送信機
83  プロセッサ
【図１】
0006541193.tif 000002
【図２】
0006541193.tif 000003
【図３】
0006541193.tif 000004
【図４】
0006541193.tif 000005
【図５】
0006541193.tif 000006
【図６】
0006541193.tif 000007
【図７】
0006541193.tif 000008
【図８】
0006541193.tif 000009
【図９】
0006541193.tif 000010
【図１０】
0006541193.tif 000011
【図１１】
0006541193.tif 000012
【図１２】
0006541193.tif 000013
【図１３】
0006541193.tif 000014